(57)【特許請求の範囲】
【請求項１】
交番電力が供給された１次コイルから発生する交番磁束を２次コイルにて交鎖させ、前記２次コイルを介して前記１次コイルに供給した交番電力を受電し、その受電した受電電力にて負荷を駆動させる非接触給電システムであって、
前記１次コイルと、前記１次コイルに交番電力を供給する高周波インバータ回路と、前記高周波インバータ回路を制御する制御部と、前記制御部に前記交番電力のインバータ電圧波形を時間的に状態変化させる指令信号を出す指令部とからなる給電部と、
前記負荷と、前記１次コイルに供給した交番電力を受電する前記２次コイルと、前記２次コイルが受電した受電電力を前記負荷に供給するとともに、前記受電電力から前記指令信号を抽出し、その抽出した指令信号に基づいて前記負荷に供給する前記受電電力を制御し前記負荷を駆動制御する回路部とからなる機器部と
を備え、
前記機器部は、複数有し、その複数の機器部は、それぞれ複数のグループに振り分けられ、グループ毎に、前記機器部に設けた前記回路部を相違させ、前記抽出した指令信号に基づいて、各機器部の前記負荷の駆動制御を、各グループの単位で異なるようにしたことを特徴とする非接触給電システム。
【請求項２】
請求項１に記載の非接触給電システムにおいて、
前記インバータ電圧波形を時間的に状態変化させる指令信号は、前記インバータ電圧波形の状態変化のタイミングと、前記インバータ電圧波形が同じ状態の維持期間と、給電の有無の情報から、機能出現のタイミングと時間が決定されてなり、当該機能出現のタイミングと時間の決定は、複数の機器部で構成されるグループ毎に別々の決定がなされることを特徴とする非接触給電システム。
【請求項３】
請求項１又は２に記載の非接触給電システムにおいて、
前記複数の機器部は、前記給電部の前記１次コイルの外周で囲まれた面内及びこの面の上方下方の空間内の位置に着脱配置可能に配置され、かつ、前記機器部の位置決め又は固定は、前記給電部の前記１次コイルや前記１次コイルのコアに機械的に拘束されないことを特徴とする非接触給電システム。
【請求項４】
請求項１〜３のいずれか１に記載の非接触給電システムにおいて、
前記機器部の回路部は、受電回路、検波回路、指令回路、電力制御回路を有し、
前記給電部の制御部は、前記給電部の指令部からの指令信号に基づいてインバータ電圧波形を変調して、前記機器部が前記２次コイルを介して前記受電電力を受け取ると同時に、前記検波回路が受電電力に含まれる変調信号を検波し、前記指令信号を抽出し、前記指令回路がその抽出した前記指令信号のタイミング及び又は期間に基づいて前記機器部の指令回路が前記機器部の電力制御回路を介して前記負荷を制御し、各グループ特有の機能がそのグループに属する全ての機器で同期的に出現されることを特徴とする非接触給電システム。
【請求項５】
請求項１〜４のいずれか１つに記載の非接触給電システムにおいて、
前記給電部の制御部は、前記高周波インバータ回路が前記１次コイルに印加するインバータ電圧の電圧波形を、前記指令信号に基づいて振幅変調させる回路であって、前記１次コイルに加える電圧波形の振幅を時間的に状態変化させ、前記機器部が前記２次コイルを介して受け取ると前記振幅変調された受電電力から前記指令信号を抽出し、その指令信号の状態変化のタイミング及び又は期間に基づいて、各グループ特有の機能がそのグループに属する全ての機器部において同期的に出現することを特徴とする非接触給電システム。
【請求項６】
請求項５に記載の非接触給電システムにおいて、
前記給電部の制御部は、前記機器部を機能停止状態に維持させるとき、前記１次コイルに印加するインバータ電圧波形を変調させないことを特徴とする非接触給電システム。
【請求項７】
請求項５に記載の非接触給電システムにおいて、
前記給電部の制御部は、前記機器部を機能出現状態に維持させるとき、前記１次コイルに印加するインバータ電圧波形を変調させないことを特徴とする非接触給電システム。
【請求項８】
請求項４に記載の非接触給電システムにおいて、
前記機器部の指令回路は、前記検波回路が受電電力に含まれる変調信号を検波した場合、検波された波形の正から負へのタイミング及び又は負から正へのタイミングに同期し、さらに周期あるいは正の期間あるいは負の期間に基づいて、前記機器部の機能停止を含む機能出現タイミングと時間を決めることを特徴とする非接触給電システム。
【請求項９】
請求項１〜３のいずれか１に記載の非接触給電システムにおいて、
前記機器部の回路部は、受電回路、検波回路、指令回路、電力制御回路を有し、
前記給電部の制御部が、前記給電部の指令部からの指令信号に基づいてインバータ電圧波形を周波数変調して、前記１次コイルに加える周波数を時間的に変化させ、前記機器部が前記２次コイルを介して受け取る周波数変調された受電電力に含まれる変調信号から前記検波回路が前記指令信号を抽出し、前記指令回路がその指令信号の状態変化のタイミング及び又は期間に基づいて、前記電力制御回路を介して前記負荷を制御し、各グループ特有の機能がそのグループに属する前記全ての機器部で同期的に出現されることを特徴とする非接触給電システム。
【請求項１０】
請求項９に記載の非接触給電システムにおいて、
前記複数の機器部が複数の異なる周波数で同調するグループに分けられており、
前記給電部の制御部は、インバータ電圧波形の周波数を可変して、その周波数に同調するグループに属する前記複数の機器部が前記２次コイルを介して受け取る前記受電電力の状態変化のタイミング及び又は期間に基づいて、各グループ特有の機能がそのグループに属する全ての機器部において同期的に出現することを特徴とする非接触給電システム。
【請求項１１】
請求項９に記載の非接触給電システムにおいて、
前記給電部は、複数の独立した１次コイルを有し、各１次コイルの駆動周波数が異なっており、また、前記複数の前記機器部は複数の異なる周波数で同調するグループに分けられており、
前記給電部の制御部は、複数の独立した前記１次コイルを切り換えて異なる周波数を出力し、
その周波数に同調するグループに属する前記複数の機器部は、前記２次コイルを介して受け取る受電電力の状態変化のタイミング及び又は期間に基づいて、そのグループ特有の機能がそのグループに属する全ての機器で同期的に出現することを特徴とする非接触給電システム。
【請求項１２】
請求項１に記載の非接触給電システムにおいて、
前記給電部は、
送信アンテナと、
前記指令部からの指令信号に基づいて前記機器部の制御を行う制御信号を生成し前記送信アンテナから送信させる信号発生回路と
を備え、
前記機器部は、
前記送信アンテナからの制御信号を受信する受信アンテナと、
前記受信アンテナが受信した前記制御信号を検波する検波回路と、
前記検波回路が検波した検波信号から前記指令信号を抽出し、前記回路部に出力する制御回路と
を備えたことを特徴とする非接触給電システム。
【請求項１３】
請求項１〜１２のいずれか１つに記載の非接触給電システムにおいて、
前記機器部の負荷は、少なくとも、発光素子、音発生素子、又は動力発生素子のいずれか１つ含み、前記抽出した給電部からの指令信号に基づいて、各グループに属する全ての複数の機器部がそのグループ特有の機能出現のタイミングと時間で同期動作することを特徴とする非接触給電システム。
【請求項１４】
請求項１３に記載の非接触給電システムにおいて、
前記負荷の発光素子は、発光ダイオードであり、前記給電部の指令部からの指令に基づいて、各グループに属する前記全ての機器部の発光ダイオードが、そのグループ特有の点灯、消灯又は点滅のタイミングと時間でそれぞれ同期動作することを特徴とする非接触給電システム。
【請求項１５】
請求項１３又は１４に記載の非接触給電システムにおいて、
前記負荷は、発光素子、音発生素子、あるいは動力発生素子であり、前記給電部の指令部からの指令信号に基づいて、前記給電部のインバータ電圧波形を周波数及び又は振幅の可変を段階的に制御する可変回路を設け、前記負荷の機能出現の連続的なレベル可変を可能とすることを特徴とする非接触給電システム。
【請求項１６】
請求項１〜１５のいずれか１つに記載の非接触給電システムにおいて、
前記複数の機器部は、2次コイル、コンデンサ、回路部、負荷の少なくとも２つが１つの部品として構成されていることを特徴とする非接触給電システム。
【請求項１７】
請求項１〜１５のいずれか１つに記載の非接触給電システムにおいて、
複数の機器部は、
２次コイル、コンデンサ、必要に応じて付加される回路部とで構成されるブロックと、
負荷からなるブロックと
からなり、両ブロックを結合して一つの部品として構成されていることを特徴とする非接触給電システム。
【請求項１８】
請求項１〜１７のいずれか１つに記載の非接触給電システムにおいて、
前記複数の機器部は、前記給電部を内蔵したベース、又は、前記ベースに固設される台座に着脱可能に位置決め及び固定されることを特徴とする非接触給電システム。
【請求項１９】
請求項１〜１８のいずれか１つに記載の非接触給電システムにおいて、
前記給電部は、既にインフラとして天井又は壁に取り付けられている引っ掛けシーリング及び又は電源コンセントに直結配置され、前記複数の機器部への給電がなされることを特徴とする非接触給電システム。
【請求項２０】
請求項１８又は１９に記載の非接触給電システムにおいて、
前記給電部又は前記台座にモータを配置して複数の機器部全体又は一部を可動することを特徴とする非接触給電システム。
【請求項２１】
請求項１〜２０のいずれか１つに記載の非接触給電システムにおいて、
前記給電部の駆動電源を、電池としたことを特徴とする非接触給電システム。
【請求項２２】
請求項１〜２１のいずれか１つに記載の非接触給電システムにおいて、
前記給電部の１次コイルは、空芯コイルであるとともにコイル形状を変形可能としたことを特徴とした非接触給電システム。
【請求項２３】
請求項１〜２２のいずれか１つに記載の非接触給電システムにおいて、
前記複数の機器の負荷が、発光素子、音発生素子及び動力発生素子を共有しており、給電部に対して複数の機器部が動きながら光や音発生を行うことを特徴とする非接触給電システム。
【請求項２４】
請求項１〜２３のいずれか１つに記載の非接触給電システムにおいて、
前記複数の機器部及び前記給電部に、情報通信機能を有する情報通信部を設けたことを特徴とする非接触給電システム。
【請求項２５】
請求項１〜２４のいずれか１つに記載の非接触給電システムにおいて、
前記機器部は、その負荷が２次コイルの端子から抵抗を介して接続されており、前記給電部の指令信号の検出は２次コイルの端子から行うことを特徴とする非接触給電システム。
【請求項２６】
請求項１〜２５のいずれか１つに記載の非接触給電システムにおいて、
前記機器部は、受電用の２次コイルに加えて、補助受電コイルを有し、前記補助受電コイルから得られた信号の伝送や変換のために必要な電圧や電力を、前記補助受電コイルから得ることを特徴とする非接触給電システム。
【請求項２７】
請求項１〜２６のいずれか１つに記載の非接触給電システムにおいて、
前記機器部の制御は、前記負荷の短絡と非短絡で行われるように第１トランジスタ回路を配置したことを特徴とする非接触給電システム。
【請求項２８】
請求項１〜２６のいずれか１つに記載の非接触給電システムにおいて、
前記機器の制御は、前記負荷のオープンと非オープンで行われるように第１トランジスタ回路を配置したことを特徴とする非接触給電システム。
【請求項２９】
請求項１〜２８のいずれか１つに記載の非接触給電システムにおいて、
前記給電部からの指令信号は、正または負のトリガパルスとし、前記機器部がこのトリガパルスを検知した後一定時間の機能出現あるいは機能停止を行わせるようにしたことを特徴とする非接触給電システム。
【請求項３０】
請求項２９に記載の非接触給電システムにおいて、
前記機器部は、前記給電部からの指令信号の正の立ち上がりおよびまたは負の立下りを検知した後一定時間の機能出現あるいは機能停止を行わせるパルス発生回路を設けたことを特徴とする非接触給電システム。
【請求項３１】
請求項１〜３０のいずれか１つに記載の非接触給電システムにおいて、
前記機器部の２次コイルは、前記機器部を給電面に対してどの方向でも受電できるように受電面が３つに分かれ、互いに垂直方向に配置されていることを特徴とする非接触給電システム。
【発明の詳細な説明】
【技術分野】
【０００１】
本発明は、電磁誘導を利用して、複数の機器に非接触で電力伝送を行う非接触給電システムに関するものである。
【背景技術】
【０００２】
近年、青色発光ダイオード（青色ＬＥＤ）が開発されて、様々な色の発光が可能になり、また白色光が可能になったことから、ＬＥＤの照明システムによる照明の用途も多様化し実用化が急速に進んでいる。
【０００３】
ＬＥＤのイルミネーションシステムや照明システムは、直流電源を形成し、複数の発光ダイオード（ＬＥＤ）を直列あるいは並列に接続して、これに定電圧印加あるいは定電流を流すことで発光制御を行っている。この種のイルミネーションシステムは、クリスマスツリー等の電飾に利用され、ＬＥＤを複数連ねたワイヤー式のイルミネーションシステムとして美しく雰囲気を盛り上げる。
【０００４】
ところで、ワイヤー式のイルミネーションシステムの点灯と消灯を繰り返す点滅は、全てのＬＥＤが一斉に点灯し、一斉に消灯するパターンや、半分が点灯しその間半分は消灯し、これが交互に繰り返すもの等がある。両方の点灯パターンとも複数のＬＥＤが同期を持って秩序だって点灯、消灯、点滅が行われることが重要である。前者は、電源のオン、オフのみで実現できるものであるが、後者の場合は、２系統の配線で電源オンとオフとを交互にする場合や、個々のＬＥＤに予め設定された点滅周期で点滅するような制御回路チップを設けたものなどが考えられる。
【０００５】
このシステムでは、数十個、数百個のＬＥＤがワイヤーで配線されているため、飾り付けが大変で、そのレイアウト変更も手間がかかり、容易にＬＥＤの色や点滅パターンの異なるＬＥＤへの変更や、メンテナンスができない。
【０００６】
この解決手段として電磁誘導を利用してワイヤレスで個々のＬＥＤへ給電することが考えられる。しかし、単なるＬＥＤ機器群の一斉に点灯一斉消灯は容易にできるが、同じ期間に、半分の数を、同期をもって一斉に点灯、半分の数を、同期をもって一斉に消灯するように制御することは電源のオンオフのみではできない。
【０００７】
そこで、電磁誘導を使ってワイヤレスで複数のＬＥＤ機器を点灯パターン指令信号で光らせるようにした非接触給電システムが提案されている（例えば、特許文献１）。電力信号と点灯パターン指令信号の合成信号を用いている。各ＬＥＤ機器が受け取った電力からこの点灯パターン指令信号を検波する。ＬＥＤ機器側は、ＬＥＤ点灯制御のためのドライバを有しており予め設定された点灯パターン指令信号に対応する点灯制御を行うものである。
【０００８】
つまり、同じ信号を受けた複数のＬＥＤ機器は、同じ信号パターンを解読し、機器内に内蔵されたＬＥＤの点灯ドライバで予め設定された同じ点灯パターンを表現するために、結果として、一斉に同じ点灯パターンとできる。
【０００９】
しかしながら、複数の系統に分かれた複数のＬＥＤ機器同士が、他の系統の複数のＬＥＤ機器と異なる点灯パターンを同期して点灯させることができない。
また、複数のＬＥＤ機器にアドレスを割り当てて、点灯パターン指令信号の前にアドレスデータを送ることで、特定のＬＥＤ機器のみを指定した点灯パターンで表現させることが提案されている。これにより、複数のＬＥＤ機器がいくつかのグループに分けられてそれらが異なる点灯パターンで同期をもっての点灯制御を可能にしている。このアドレス指定方式では、先に述べた、半分を点灯、半分を消灯と交互に繰り返すパターンの演出がワイヤレスで可能となる。
【先行技術文献】
【特許文献】
【００１０】
【特許文献１】特開２００４−３１９４７２号公報
【発明の概要】
【発明が解決しようとする課題】
【００１１】
しかしながら、上記した各ＬＥＤ機器にアドレスを割り当てて、複数のＬＥＤ機器がいくつかのグループに分けられてそれらが異なる点灯パターンで同期をもっての点灯制御させるためには、ＬＥＤ機器にマイコンや専用ＬＳＩクラスの高価な送受信システムが必要になる問題が生じる。
【００１２】
本発明は、上記問題を解決するためになされたものであり、その目的は、各グループに属する複数の機器が、グループ毎に他のグループに属する複数の機器とは異なる動作を同期して動作制御させることを安価にかつ容易に行える非接触給電システムを提供することにある。
【課題を解決するための手段】
【００１３】
請求項１に記載の発明は、交番電力が供給された１次コイルから発生する交番磁束を２次コイルにて交鎖させ、前記２次コイルを介して前記１次コイルに供給した交番電力を受電し、その受電した受電電力にて負荷を駆動させる非接触給電システムであって、前記１次コイルと、前記１次コイルに交番電力を供給する高周波インバータ回路と、前記高周波インバータ回路を制御する制御部と、前記制御部に前記交番電力のインバータ電圧波形を時間的に状態変化させる指令信号を出す指令部とからなる給電部と、前記負荷と、前記１次コイルに供給した交番電力を受電する前記２次コイルと、前記２次コイルが受電した受電電力を前記負荷に供給するとともに、前記受電電力から前記指令信号を抽出し、その抽出した指令信号に基づいて前記負荷に供給する前記受電電力を制御し前記負荷を駆動制御する回路部とからなる機器部とを備え、前記機器部は、複数有し、その複数の機器部は、それぞれ複数のグループに振り分けられ、グループ毎に、前記機器部に設けた前記回路部を相違させ、前記抽出した指令信号に基づいて、各機器部の前記負荷の駆動制御を、各グループの単位で異なるようにした。
【００１４】
請求項１に記載の発明によれば、各グループに属する各機器部毎に、抽出した指令信号に対して負荷の制御を異なるように構成したので、各グループに属する複数の機器部は、グループ毎に他のグループに属する複数の機器部とは異なる動作を同期して動作制御させことができる。
【００１５】
請求項２に記載の発明は、請求項１に記載の非接触給電システムにおいて、前記インバータ電圧波形を時間的に状態変化させる指令信号は、前記インバータ電圧波形の状態変化のタイミングと、前記インバータ電圧波形が同じ状態の維持期間と、給電の有無の情報から、機能出現のタイミングと時間が決定されてなり、当該機能出現のタイミングと時間の決定は、複数の機器部で構成されるグループ毎に別々の決定がなされる。
【００１６】
請求項３に記載の発明は、請求項１又は２に記載の非接触給電システムにおいて、前記複数の機器部は、前記給電部の前記１次コイルの外周で囲まれた面内及びこの面の上方下方の空間内に着脱配置可能に配置され、かつ、前記機器部の位置決め又は固定は、前記給電部の前記１次コイルや前記１次コイルのコアに機械的に拘束されない。
【００１７】
請求項３に記載の発明によれば、各グループに属する各機器部は、給電装部に対しての配置固定が容易に行えて、配置設計自由度を高くすることができる。
請求項４に記載の発明は、請求項１〜３のいずれか１に記載の非接触給電システムにおいて、前記機器部の回路部は、受電回路、検波回路、指令回路、電力制御回路を有し、前記給電部の制御部は、前記給電部の指令部からの指令信号に基づいてインバータ電圧波形を変調して、前記機器部が前記２次コイルを介して前記受電電力を受け取ると同時に、前記検波回路が受電電力に含まれる変調信号を検波し、前記指令信号を抽出し、前記指令回路がその抽出した前記指令信号のタイミング及び又は期間に基づいて前記機器部の指令回路が前記機器部の電力制御回路を介して前記負荷を制御し、各グループ特有の機能がそのグループに属する全ての機器で同期的に出現される。
【００１８】
請求項４に記載の発明によれば、各グループに属する複数の機器部は、グループ毎に他のグループに属する複数の機器部とは異なる動作を同期して動作制御させことができる。
請求項５に記載の発明は、請求項１〜４のいずれか１つに記載の非接触給電システムにおいて、前記給電部の制御部は、前記高周波インバータ回路が前記１次コイルに印加するインバータ電圧の電圧波形を、前記指令信号に基づいて振幅変調させる回路であって、前記１次コイルに加える電圧波形の振幅を時間的に状態変化させ、前記機器部が前記２次コイルを介して受け取ると前記振幅変調された受電電力から前記指令信号を抽出し、その指令信号の状態変化のタイミング及び又は期間に基づいて、各グループ特有の機能がそのグループに属する全ての機器部において同期的に出現する。
【００１９】
請求項５に記載の発明によれば、各グループに属する機器部毎に、受電電力に含まれる振幅変調された変調信号から指令信号を抽出し、その抽出した指令信号に基づいて、各グループに属する複数の機器部は、グループ毎に他のグループに属する複数の機器部とは異なる動作を同期して動作制御させことができる。
【００２０】
請求項６に記載の発明は、請求項５に記載の非接触給電システムにおいて、前記給電部の制御部は、前記機器部を機能停止状態に維持させるとき、前記１次コイルに印加するインバータ電圧波形を変調させない。
【００２１】
請求項７に記載の発明は、請求項５に記載の非接触給電システムにおいて、前記給電部の制御部は、前記機器部を機能出現状態に維持させるとき、前記１次コイルに印加するインバータ電圧波形を変調させない。
【００２２】
請求項８に記載の発明は、請求項４に記載の非接触給電システムにおいて、前記機器部の指令回路は、前記検波回路が受電電力に含まれる変調信号を検波した場合、検波された波形の正から負へのタイミング及び又は負から正へのタイミングに同期し、さらに周期あるいは正の期間あるいは負の期間に基づいて、前記機器部の機能停止を含む機能出現タイミングと時間を決める。
【００２３】
請求項９に記載の発明は、請求項１〜３のいずれか１に記載の非接触給電システムにおいて、前記機器部の回路部は、受電回路、検波回路、指令回路、電力制御回路を有し、前記給電部の制御部が、前記給電部の指令部からの指令信号に基づいてインバータ電圧波形を周波数変調して、前記１次コイルに加える周波数を時間的に変化させ、前記機器部が前記２次コイルを介して受け取る周波数変調された受電電力に含まれる変調信号から前記検波回路が前記指令信号を抽出し、前記指令回路がその指令信号の状態変化のタイミング及び又は期間に基づいて、前記電力制御回路を介して前記負荷を制御し、各グループ特有の機能がそのグループに属する前記全ての機器部で同期的に出現される。
【００２４】
請求項９に記載の発明によれば、各グループに属する機器部毎に、受電電力に含まれる周波数変調された変調信号から指令信号を抽出し、その抽出した指令信号に基づいて、各グループに属する複数の機器部は、グループ毎に他のグループに属する複数の機器部とは異なる動作を同期して動作制御させことができる。
【００２５】
請求項１０に記載の発明は、請求項９に記載の非接触給電システムにおいて、前記複数の機器部が複数の異なる周波数で同調するグループに分けられており、前記給電部の制御部は、インバータ電圧波形の周波数を可変して、その周波数に同調するグループに属する前記複数の機器部が前記2次コイルを介して受け取る前記受電電力状態変化のタイミング及び又は期間に基づいて、各グループ特有の機能がそのグループに属する全ての機器部において同期的に出現する。
【００２６】
請求項１１に記載の発明は、請求項９に記載の非接触給電システムにおいて、前記給電部は、複数の独立した１次コイルを有し、各１次コイルの駆動周波数が異なっており、また、前記複数の前記機器部は複数の異なる周波数で同調するグループに分けられており、前記給電部の制御部は、複数の独立した前記１次コイルを切り換えて異なる周波数を出力し、その周波数に同調するグループに属する前記複数の機器部は、前記２次コイルを介して受け取る受電電力の状態変化のタイミング及び又は期間に基づいて、そのグループ特有の機能がそのグループに属する全ての機器で同期的に出現する。
【００２７】
請求項１２に記載の発明は、請求項１に記載の非接触給電システムにおいて、前記給電部は、送信アンテナと、前記指令部からの指令信号に基づいて前記機器部の制御を行う制御信号を生成し前記送信アンテナから送信させる信号発生回路とを備え、前記機器部は、前記送信アンテナからの制御信号を受信する受信アンテナと、前記受信アンテナが受信した前記制御信号を検波する検波回路と、前記検波回路が検波した検波信号から前記指令信号を抽出し、前記回路部に出力する制御回路とを備えた。
【００２８】
請求項１３に記載の発明は、請求項１〜１２のいずれか１つに記載の非接触給電システムにおいて、前記機器部の負荷は、少なくとも、発光素子、音発生素子、又は動力発生素子のいずれか１つ含み、前記抽出した給電部からの指令信号に基づいて、各グループに属する全ての複数の機器部がそのグループ特有の機能出現のタイミングと時間で同期動作する。
【００２９】
請求項１４に記載の発明は、請求項１３に記載の非接触給電システムにおいて、前記負荷の発光素子は、発光ダイオードであり、前記給電部の指令部からの指令に基づいて、各グループに属する前記全ての機器部の発光ダイオードが、そのグループ特有の点灯、消灯又は点滅のタイミングと時間でそれぞれ同期動作することを特徴とする。
【００３０】
請求項１５に記載の発明は、請求項１３又は１４に記載の非接触給電システムにおいて、前記負荷は、発光素子、音発生素子、あるいは動力発生素子であり、前記給電部の指令部からの指令信号に基づいて、前記給電部のインバータ電圧波形を周波数及び又は振幅の可変を段階的に制御する可変回路を設け、前記負荷の機能出現の連続的なレベル可変を可能とする。
【００３１】
請求項１６に記載の発明は、請求項１〜１５のいずれか１つに記載の非接触給電システムにおいて、前記複数の機器部は、２次コイル、コンデンサ、回路部、負荷の少なくとも２つが１つの部品として構成されている。
【００３２】
請求項１７に記載の発明は、請求項１〜１５のいずれか１つに記載の非接触給電システムにおいて、複数の機器部は、２次コイル、コンデンサ、必要に応じて付加される回路部とで構成されるブロックと、負荷からなるブロックとからなり、両ブロックを結合して一つの部品として構成されている。
【００３３】
請求項１８に記載の発明は、請求項１〜１７のいずれか１つに記載の非接触給電システムにおいて、前記複数の機器部は、前記給電部を内蔵したベース、又は、前記ベースに固設される台座に着脱可能に位置決め及び固定される。
【００３４】
請求項１９に記載の発明は、請求項１〜１８のいずれか１つに記載の非接触給電システムにおいて、前記給電部は、既にインフラとして天井又は壁に取り付けられている引っ掛けシーリング及び又は電源コンセントに直結配置され、前記複数の機器部への給電がなされる。
【００３５】
請求項２０に記載の発明は、請求項１８又は１９に記載の非接触給電システムにおいて、前記給電部又は前記台座にモータを配置して複数の機器部全体又は一部を可動する。
請求項２１に記載の発明は、請求項１〜１９のいずれか１つに記載の非接触給電システムにおいて、前記給電部の駆動電源を、電池とした。
【００３６】
請求項２１の発明によれば、電源のないところで使え、さらに可搬可能な、非接触給電システムを実現できる。
請求項２２に記載の発明は、請求項１〜２１のいずれか１つに記載の非接触給電システムにおいて、前記給電部の１次コイルは、空芯コイルであるとともにコイル形状を変形可能とした。
【００３７】
請求項２２の発明によれば、複数の機器部を配置したい面の広さや形状に対応して、空新コイルである１次コイルを配置することができる。
請求項２３に記載の発明は、請求項１〜２２のいずれか１つに記載の非接触給電システムにおいて、前記複数の機器の負荷が、発光素子、音発生素子及び動力発生素子を共有しており、給電部に対して複数の機器部が動きながら光や音発生を行う。
【００３８】
請求項２４に記載の発明は、請求項１〜２３のいずれか１つに記載の非接触給電システムにおいて、前記複数の機器部及び前記給電部に、情報通信機能を有する情報通信部を設けた。
【００３９】
請求項２５に記載の発明は、請求項１〜２４のいずれか１つに記載の非接触給電システムにおいて、前記機器部は、その負荷が２次コイルの端子から抵抗を介して接続されており、前記給電部の指令信号の検出は２次コイルの端子から行う。
【００４０】
請求項２６に記載の発明は、請求項１〜２５のいずれか１つに記載の非接触給電システムにおいて、前記機器部は、受電用の２次コイルに加えて、補助受電コイルを有し、前記補助受電コイルから得られた信号の伝送や変換のために必要な電圧や電力を、前記補助受電コイルから得る。
【００４１】
請求項２７に記載の発明は、請求項１〜２６のいずれか１つに記載の非接触給電システムにおいて、前記機器部の制御は、前記負荷の短絡と非短絡で行われるように第１トランジスタ回路を配置した。
【００４２】
請求項２８に記載の発明は、請求項１〜２６のいずれか１つに記載の非接触給電システムにおいて、前記機器の制御は、前記負荷のオープンと非オープンで行われるように第２トランジスタ回路を配置した。
【００４３】
請求項２９に記載の発明は、請求項１〜２８のいずれか１つに記載の非接触給電システムにおいて、前記給電部からの指令信号は、正または負のトリガパルスとし、前記機器部がこのトリガパルスを検知した後一定時間の機能出現あるいは機能停止を行わせるようにした。
【００４４】
請求項３０に記載の発明は、請求項２９に記載の非接触給電システムにおいて、前記機器部は、前記給電部からの指令信号の正の立ち上がりおよびまたは負の立下りを検知した後一定時間の機能出現あるいは機能停止を行わせるパルス発生回路を設けた。
【００４５】
請求項３１に記載の発明は、請求項１〜３０のいずれか１つに記載の非接触給電システムにおいて、前記機器部の２次コイルは、前記機器部を給電面に対してどの方向でも受電できるように受電面が３つに分かれ、互いに垂直方向に配置されている。
【発明の効果】
【００４６】
本発明によれば、各グループに属する複数の機器が、グループ毎に他のグループに属する複数の機器とは異なる動作を同期して動作制御させることを安価にかつ容易に行うことができる。
【図面の簡単な説明】
【００４７】
【図１】ＬＥＤ照明装置の正面図である。
【図２】ＬＥＤ照明装置の側断面図である。
【図３】（ａ）発光機器の全体斜視図、（ｂ）発光機器の別例の全体斜視図である。
【図４】ＬＥＤ照明装の電気ブロック回路図である。
【図５】発光機器の電気ブロック回路図である。
【図６】ＬＥＤ照明装置の動作を説明するための各動作波形図である。
【図７】給電装置３電気回路である。
【図８】各発光機器の電気回路である。
【図９】第２実施形態の給電装置の電気ブロック回路図である。
【図１０】第３実施形態のＬＥＤ照明装置の電気ブロック回路図である。
【図１１】第３実施形態の発光機器の電気ブロック回路図である。
【図１２】第３実施形態の発光機器の電気ブロック回路図である。
【図１３】第３実施形態の動作を説明するための各動作波形図である。
【図１４】第４実施形態のＬＥＤ照明装置の電気ブロック回路図である。
【図１５】第４実施形態の動作を説明するための各動作波形図である。
【図１６】第５実施形態のＬＥＤ照明装置の電気ブロック回路図である。
【図１７】第６実施形態のＬＥＤ照明装置の電気ブロック回路図である。
【図１８】第６実施形態のＬＥＤ照明装置の電気ブロック回路図である。
【図１９】周波数に対する受電電力の特性曲線図である。
【図２０】第６実施形態の動作を説明するための各動作波形図である。
【図２１】第７実施形態のＬＥＤ照明装置の電気ブロック回路図である。
【図２２】第８実施形態の発光機器の電気回路図である。
【図２３】第８施形態の動作を説明するための各動作波形図である。
【図２４】第８施形態の動作を説明するための各動作波形図である。
【図２５】第９実施形態の発光機器の電気回路図である。
【図２６】第９施形態の動作を説明するための各動作波形図である。
【図２７】第９実施形態の発光機器の電気回路図である。
【図２８】第９施形態の動作を説明するための各動作波形図である。
【図２９】（ａ）（ｂ）第１０実施形態の給電装置の断面図である。
【図３０】（ａ）（ｂ）第１１実施形態の発光機器の２次コイルの説明図である。
【図３１】第１１実施形態の発光機器の２次コイルの説明図である。
【図３２】（ａ）（ｂ）（ｃ）（ｄ）第１１実施形態の発光機器の説明図である。
【図３３】（ａ）（ｂ）第１２実施形態のコミュニケーションボードの説明図である。
【図３４】（ａ）（ｂ）第１３実施形態のジグソーパズルの説明図である。
【図３５】第１４実施形態のブロックの説明図である。
【図３６】（ａ）（ｂ）第１５実施形態の対戦ゲーム盤の説明図である。
【図３７】第１６実施形態の天井照明機器の説明図である。
【図３８】第１６実施形態の天井照明機器の説明図である。
【図３９】第１６実施形態の天井照明機器の説明図である。
【図４０】第１７実施形態の天井装飾玩具の説明図である。
【図４１】第１７実施形態の天井装飾玩具の説明図である。
【図４２】第１７実施形態の天井装飾玩具の説明図である。
【図４３】第１８実施形態の壁照明器具の説明図である。
【図４４】第１８実施形態の壁照明器具の説明図である。
【図４５】第１９実施形態のディスプレーケースの説明図である。
【図４６】第１９実施形態の飼育ケースの説明図である。
【図４７】第１９実施形態の水槽の説明図である。
【図４８】（ａ）（ｂ）第１９実施形態のディスプレーケースの説明図である。
【図４９】第１９実施形態のディスプレーケースの応用例の説明図である。
【図５０】第２０実施形態の可搬性照明装置の説明図である。
【図５１】第２０実施形態の可搬性照明装置の電気ブロック回路図である。
【図５２】（ａ）（ｂ）第２１実施形態の鉢の説明図である。
【図５３】第２１実施形態の照明装置の説明図である。
【図５４】第２１実施形態の置物の説明図である。
【図５５】第２１実施形態の照明装置の説明図である。
【図５６】第２２実施形態を説明するための電気ブロック回路である。
【図５７】第２２実施形態を説明するための電気ブロック回路である。
【発明を実施するための形態】
【００４８】
（第１実施形態）
以下、本発明の非接触給電システムをＬＥＤ照明システムに具体化した第１実施形態を図面に従って説明する。
【００４９】
図１は、ＬＥＤ照明装置１の正面図、図２は、そのＬＥＤ照明装置１の側断面図である。ＬＥＤ照明装置１は、透明樹脂材料で形成した円板状のベース２を有している。ベース２内には、図２に示すように、給電部としての給電装置３が設けられ、給電装置３はベース２に樹脂モールドされた１次コイルＬ１に、交番電力を供給するようになっている。そして、給電装置３は１次コイルＬ１に交番電力を供給することによって、交番磁束を発生するようになっている。
【００５０】
そのベース２の上面には、透明樹脂で形成した円板状の台座４が固設されている。台座４の表面には、複数の嵌合凹部４ａが凹設され、その凹設された各嵌合凹部４ａに、複数（本実施形態では５つ）のグループＧ１〜Ｇ５毎に区分けされた複数の機器としての発光機器Ｍ１〜Ｍ５がそれぞれ着脱可能に嵌着固定されている。
【００５１】
本実施形態では、第１グループＧ１に属する複数の発光機器Ｍ１は、台座４の中心位置に配置されている。第２グループＧ２に属する複数の発光機器Ｍ２は、第１グループＧ１の発光機器Ｍ１を囲むようにサークル状に配置されている。また、第３グループＧ３に属する複数の発光機器Ｍ３は、サークル状に配置された第２グループＧ２の発光機器Ｍ２を囲むようにサークル状に配置されている。
【００５２】
さらに、第４グループＧ４に属する複数の発光機器Ｍ４は、サークル状に配置された第３グループＧ３の発光機器Ｍ３を囲むようにサークル状に配置されている。さらにまた、第５グループＧ５に属する複数の発光機器Ｍ５は、サークル状に配置された第４グループＧ４の発光機器Ｍ４を囲むようにサークル状に配置されている。
【００５３】
図３（ａ）に示すように、各グループＧ１〜Ｇ５の発光機器Ｍ１〜Ｍ５は、２次コイルＬ２、コンデンサＣ、ＩＣチップよりなる回路部５、半導体チップよりなる負荷及び発光素子としての発光ダイオード（ＬＥＤ）６が透明の樹脂材料にて樹脂モールドされて形成され、１つの部品とみなせるものである。
【００５４】
２次コイルＬ２は、１次コイルＬ１から発生する交番磁束と交鎖し、１次コイルＬ１に供給した交番電力を受電し、その受電した受電電力を回路部５にする。コンデンサＣは、２次コイルＬ２の両端子間に接続され、２次コイルＬ２とＬＥＤ６の整合をとるためのものである。
【００５５】
また、回路部５は、２次コイルＬ２が受電した受電電力を整流し、平滑するための機能や、受電した受電電力に含まれる信号の検波や検波した信号に基づいてＬＥＤ６を点灯制御する機能をもつ。
【００５６】
そして、各グループＧ１〜Ｇ５の発光機器Ｍ１〜Ｍ５は、それぞれ各グループＧ１〜Ｇ５毎でそのグループ特有の回路構成の回路部５を備え、グループ特有の機能出現、即ち、点灯パターンを一斉に点灯動作するようになっている。
【００５７】
尚、図３（ａ）に示す発光機器Ｍ１〜Ｍ５は、２次コイルＬ２、コンデンサＣ、回路部５、ＬＥＤ６を一体的に樹脂モールドしたが、図３（ｂ）に示すように、２分割するように構成してもよい。つまり、２次コイルＬ２とコンデンサＣを一体的に樹脂モールドした１つの部品と、回路部５とＬＥＤ６を一体的に樹脂モールドした１つの部品とを予め作っておき、これらを連結して１つの発光機器Ｍ１〜Ｍ５として実施してもよい。これによって、ユーザが目的に合わせて部品同士を選択し結合して使用することができる。
【００５８】
勿論、２次コイルＬ２、コンデンサＣ及び回路部５を一体的に樹脂モールドした１つのブロックと、ＬＥＤ６のみを樹脂モールドしたブロックをそれぞれ成形し、これらを連結し１つの発光機器Ｍ１〜Ｍ５を構成するようにしてもよい。
（ＬＥＤ照明装置３の電気的構成）
次に、上記のように構成したＬＥＤ照明装置１の電気的構成について説明する。
（給電装置）
図４に示すように、給電装置３は、大きく分けて、１次コイルＬ１、制御部７、高周波インバータ回路８、指令部９とから構成されている。
【００５９】
高周波インバータ回路８は、発振回路であって生成したインバータ電圧Ｖ１を交番電力として１次コイルＬ１に印加する。
制御部７は、制御回路７ａと変調回路７ｂとを含む。変調回路７ｂは、高周波インバータ回路８を駆動制御して、同インバータ回路８が生成するインバータ電圧Ｖ１を変調させるための変調信号ＭＳを生成する。制御回路７ａは、指令部９からの指令信号ＳＳに基づいて、変調回路７ｂが生成した変調信号ＭＳを、高周波インバータ回路８に出力させ、その変調信号ＭＳに基づいて生成するインバータ電圧Ｖ１を変調させる。
【００６０】
本実施形態では、変調回路７ｂは、振幅変調回路であって、高周波インバータ回路８が１次コイルＬ１に印加する交番電力のインバータ電圧Ｖ１、即ちインバータ電圧波形の振幅値を変調する。そして、本実施形態では、図６に示すように、高周波インバータ回路８に変調信号ＭＳが入力されているとき、インバータ電圧Ｖ１の振幅値が小さくなり、高周波インバータ回路８に変調信号ＭＳが入力されていないとき、インバータ電圧Ｖ１の振幅値は大きくなるようにしている。
【００６１】
指令部９は、制御部７が高周波インバータ回路８に変調信号ＭＳを出力するタイミングとその出力している期間を制御する回路である。そして、指令部９は、１次コイルＬ１に印加する交番電力のインバータ電圧Ｖ１が、図６に示すパターンで、変調されるように制御部７を制御する指令信号ＳＳを出力するようになっている。
【００６２】
従って、１次コイルＬ１は、図６に示すパターンで振幅変調されたインバータ電圧Ｖ１の交番電力が印加され、その振幅変調された交番電力に基づく交番磁束を発生する。
（発光機器Ｍ１〜Ｍ５）
各グループＧ１〜Ｇ５の発光機器Ｍ１〜Ｍ５は、図４に示すように、２次コイルＬ２、コンデンサＣ、回路部５、発光ダイオード（ＬＥＤ）６とから構成されている。
【００６３】
２次コイルＬ２は、発光機器Ｍ１〜Ｍ５を台座４の表面に凹設した嵌合凹部４ａに嵌着固定されている状態で、１次コイルＬ１から発生する交番磁束と交鎖し、１次コイルＬ１に印加された交番電力を受電する。２次コイルＬ２は、両端子間にコンデンサＣを接続し、１次コイルＬ１に印加する交番電力に相対した、受電電電力を出力する。
【００６４】
受電電力の２次電圧Ｖ２は、図６に示すように、１次コイルＬ１に印加する交番電力が変調されているため、変調された電圧波形となる。受電電力の２次電圧Ｖ２は、高周波インバータ回路８に変調信号ＭＳが入力されているとき（インバータ電圧Ｖ１の振幅値が小さいとき）、振幅値が小さくなり、高周波インバータ回路８に変調信号ＭＳが入力されていないとき（インバータ電圧Ｖ１の振幅値が大きいとき）、振幅値は大きくなる。
【００６５】
そして、２次コイルＬ２は、図６に示すパターンの電圧波形を示す２次電圧Ｖ２の受電電力を回路部５に出力する。
回路部５は、図５に示すように、受電回路５ａ、検波回路５ｂ、指令回路５ｃ、電力制御回路５ｄとから構成されている。
【００６６】
受電回路５ａは、２次コイルＬ２からの受電電力（２次電圧Ｖ２）を波形整形する回路であって、波形整形した２次電圧を、検波回路５ｂに出力する。
検波回路５ｂは、波形整形した２次電圧を包絡線検波し、その検波した図６に示す方形波よりなる検波信号ＳＧ１を指令回路５ｃに出力する。
【００６７】
指令回路５ｃは、検波信号ＳＧ１を入力し、その検波信号ＳＧ１に基づいてＬＥＤ６を駆動させるための点灯制御信号ＳＸを生成する。
ここで、前記したように、各グループＧ１〜Ｇ５の発光機器Ｍ１〜Ｍ５は、それぞれグループ毎で、交番電力に対して、グループ特有の点灯パターンを一斉に点灯動作するようになっている。そのため、本実施形態では、グループ毎に発光機器Ｍ１〜Ｍ５の指令回路５ｃの構成を異ならしている。
【００６８】
詳述すると、まず、第１グループＧ１に属する各発光機器Ｍ１の指令回路５ｃは、検波回路５ｂが検波した方形波よりなる検波信号ＳＧ１が出力されている間、図６に示すＨレベルの第１点灯制御信号Ｓ１を次段の電力制御回路５ｄに出力する。そして、電力制御回路５ｄは、このＨレベルの第１点灯制御信号Ｓ１に応答してＬＥＤ６に駆動電流を流すようになっている。
【００６９】
従って、第１グループＧ１に属する各発光機器Ｍ１は、給電装置３が振幅変調の有無に関係なく１次コイルＬ１から交番磁束が発生している間、ＬＥＤ６が点灯され続けるようになっている。
【００７０】
次に、第２グループＧ２に属する各発光機器Ｍ２の指令回路５ｃは、方形波よりなる検波信号ＳＧ１に基づいて、給電装置３が振幅変調していない時、及び、給電装置３が振幅変調している時であって該検波信号ＳＧ１が負の期間、図６に示すＨレベルの第２点灯制御信号Ｓ２を次段の電力制御回路５ｄに出力する。そして、電力制御回路５ｄは、このＨレベルの第２点灯制御信号Ｓ２に応答してＬＥＤ６に駆動電流を流すようになっている。
【００７１】
従って、第２グループＧ２に属する各発光機器Ｍ２は、給電装置３が振幅変調していない時と、給電装置３が振幅変調している時であってその時の検波信号ＳＧ１が負の期間の時にＬＥＤ６が点灯されるようになっている。
【００７２】
次に、第３グループＧ３に属する各発光機器Ｍ３の指令回路５ｃは、方形波よりなる検波信号ＳＧ１に基づいて、給電装置３が振幅変調していない時、及び、給電装置３が振幅変調している時であって該検波信号ＳＧ１が正の期間、図６に示すＨレベルの第３点灯制御信号Ｓ３を次段の電力制御回路５ｄに出力する。そして、電力制御回路５ｄは、このＨレベルの第３点灯制御信号Ｓ３に応答してＬＥＤ６に駆動電流を流すようになっている。
【００７３】
従って、第３グループＧ３に属する各発光機器Ｍ３は、給電装置３が振幅変調していない時と、給電装置３が振幅変調している時であってその時の検波信号ＳＧ１が正の期間の時にＬＥＤ６が点灯されるようになっている。
【００７４】
次に、第４グループＧ４に属する各発光機器Ｍ４の指令回路５ｃは、方形波よりなる検波信号ＳＧ１に基づいて、給電装置３が振幅変調している時であって該検波信号ＳＧ１が負の期間、図６に示すＨレベルの第４点灯制御信号Ｓ４を次段の電力制御回路５ｄに出力する。そして、電力制御回路５ｄは、このＨレベルの第４点灯制御信号Ｓ４に応答してＬＥＤ６に駆動電流を流すようになっている。
【００７５】
従って、第４グループＧ４に属する各発光機器Ｍ４は、給電装置３が振幅変調している時であってその時の検波信号ＳＧ１が負の期間の時にＬＥＤ６が点灯されるようになっている。
【００７６】
次に、第５グループＧ５に属する各発光機器Ｍ５の指令回路５ｃは、方形波よりなる検波信号ＳＧ１に基づいて、給電装置３が振幅変調している時であって該検波信号ＳＧ１が正の期間、図６に示すＨレベルの第５点灯制御信号Ｓ５を次段の電力制御回路５ｄに出力する。そして、電力制御回路５ｄは、このＨレベルの第５点灯制御信号Ｓ５に応答してＬＥＤ６に駆動電流を流すようになっている。
【００７７】
従って、第５グループＧ５に属する各発光機器Ｍ５は、給電装置３が振幅変調している時であってその時の検波信号ＳＧ１が正の期間の時にＬＥＤ６が点灯されるようになっている。
【００７８】
上記のように構成することによって、給電装置３の１次コイルＬ１に振幅変調させた交番電力を印加するだけで、各グループＧ１〜Ｇ５の発光機器Ｍ１〜Ｍ５にそれぞれ異なる点灯表示パターンを表現することができる。
（ＬＥＤ照明装置１の具体的な電気回路）
次に、上記ように構成した、振幅変調によるＬＥＤ照明装置１のより具体的な電気回路の一例を図面に従って説明する。
【００７９】
図７は、給電装置３の具体的な電気回路の一例を示す。図８は、各発光機器Ｍ１〜Ｍ５の具体的な電気回路の一例を示す。
図７において、給電装置３の高周波インバータ回路８は、共振用コンデンサＣｘを有し、該共振用コンデンサＣｘが１次コイルＬ１と並列に接続されてＬＣ共振回路を構成している。
【００８０】
そして、該ＬＣ共振回路は、ダイオードＤ１と抵抗Ｒ１の並列回路、スイッチング素子としてのＮチャネルＭＯＳトランジスタＱ１、及び、第１抵抗Ｒａと第２抵抗Ｒｂからなる分圧回路とが直列に接続され、その直列回路が直流電源Ｅｓに接続されている。また、直流電源Ｅｓには、抵抗Ｒ２とコンデンサＣ１の直列回路が接続されている。さらに、抵抗Ｒ２とコンデンサＣ１の接続点Ｎ１は、１次コイルＬ１と発振トランスを構成する帰還コイルＬｘと抵抗Ｒ３との直列回路を介して、ＭＯＳトランジスタＱ１のゲート端子に接続されている。
【００８１】
また、高周波インバータ回路８は、ＮＰＮトランジスタよりなるバイアス制御用トランジスタＱ２を有し、そのコレクタ端子がＭＯＳトランジスタＱ１のゲート端子に接続され、エミッタ端子が直流電源Ｅｓのマイナス端子（グランド）に接続されている。バイアス制御用トランジスタＱ２のベース端子は、ＭＯＳトランジスタＱ１のソース端子に接続され、ベース・エミッタ間にはコンデンサＣ２が接続されている。
【００８２】
このように構成した高周波インバータ回路８は、１石の自励式電圧共振型のインバータ回路と言われ、この発振動作は例えば特許３３９１９９９号公報から容易に理解されるため、その詳細は省略する。そして、１次コイルＬ１から一定周波数の交番磁束が発生される。
【００８３】
ところで、高周波インバータ回路８は、第１抵抗Ｒａと第２抵抗Ｒｂからなる分圧回路の抵抗値が変わると、１次コイルＬ１の正弦波状のインバータ電圧Ｖ１の振幅値が変化する。具体的には、分圧回路の抵抗値が小さくなると、１次コイルＬ１に注入される交番電力が大きくなり、インバータ電圧Ｖ１の振幅が増すようになっている。
【００８４】
そこで、第１抵抗Ｒａと第２抵抗Ｒｂからなる分圧回路の第２抵抗Ｒｂには、ＮＰＮトランジスタよりなるスイッチング用の第１トランジスタＱ３が並列に接続されている。第１トランジスタＱ３がオンすると、第２抵抗Ｒｂが短絡し、分圧回路の抵抗値は第１抵抗Ｒａの抵抗値となって、分圧回路の抵抗値が小さくなる。
【００８５】
従って、通常時には、第１トランジスタＱ３をオンさせて、１次コイルＬ１に注入される交番電力を大きくしてインバータ電圧Ｖ１の振幅を増すようにし、反対に、変調時には、第１トランジスタＱ３をオフさせて、１次コイルＬ１に注入される交番電力を小さくしてインバータ電圧Ｖ１の振幅を小さくして、振幅変調させるようにしている。
【００８６】
変調回路７ｂは、無安定マルチバイブレータ１１で構成しており、低周波の方形波の出力信号Ｅが出力端子Ｐから出力される。
制御回路７ａは、ＮＰＮトランジスタよりなるスイッチング用の第２トランジスタＱ４を有し、コレクタ端子が高周波インバータ回路８の第１トランジスタＱ３のベース端子に接続される。また、コレクタ端子は、抵抗Ｒ４を介して変調回路７ｂの出力端子Ｐに接続される。さらに、エミッタ端子はグランドに接続されている。さらにまた、第２トランジスタＱ４のベース端子は、抵抗Ｒ５を介して指令部９からの指令信号ＳＳを入力する。
【００８７】
従って、指令部９からＨレベルの指令信号ＳＳが入力されると、第２トランジスタＱ４はオンし、第１トランジスタＱ３をオフし続ける。反対に、指令部９からＬレベルの指令信号ＳＳが入力されると、第２トランジスタＱ４はオフし、第１トランジスタＱ３のベース端子に無安定マルチバイブレータ１１からの低周波の方形波の出力信号Ｅが印加される。その結果、第１トランジスタＱ３は、無安定マルチバイブレータ１１からの低周波の方形波の出力信号Ｅに基づいてオンオフされる。
【００８８】
指令部９は、マイコン１２からなり、制御回路７ａの第２トランジスタＱ４に対して指令信号ＳＳを出力する。すなわち、指令信号ＳＳは、この振幅変調パターン、すなわち、各グループＧ１〜Ｇ５の発光機器Ｍ１〜Ｍ５にそれぞれ異なる点灯表示パターンを決定する信号となる。そして、マイコン１２は、各グループＧ１〜Ｇ５の発光機器Ｍ１〜Ｍ５にそれぞれ異なる点灯表示パターンを決定する指令信号ＳＳを生成する。
（発光機器Ｍ１）
図８において、第１グループＧ１の発光機器Ｍ１は、２次コイルＬ２と、その２次コイルＬ２と並列に接続したコンデンサＣを有している。そして、ＬＥＤ６と電流制御のための抵抗Ｒｚを直列に接続した直列回路が２次コイルＬ２の両端子間に接続されている。
【００８９】
この場合、１次コイルＬ１の振幅が変調され、２次コイルＬ２の端子にも変調された受電電力がＬＥＤ６に印加される。このとき、変調された電圧がＬＥＤ６に印加されるが、変調度合いを、ＬＥＤ６の明るさが変調による変化が感じない程度している。
【００９０】
従って、第１グループＧ１に属する各発光機器Ｍ１は、給電装置３が振幅変調の有無に関係なく１次コイルＬ１から交番磁束が発生している間、ＬＥＤ６が点灯され続けるようになっている。
（発光機器Ｍ５）
第５グループＧ５の発光機器Ｍ５は、２次コイルＬ２と、その２次コイルＬ２と並列に接続したコンデンサＣを有している。そして、ＬＥＤ６と電流制御のための抵抗Ｒｚの直列回路と第２トランジスタを構成する電力制御回路５ｄが直列に接続され、その直列回路が２次コイルＬ２の両端子間に接続されている。
【００９１】
又、２次コイルＬ２は、受電回路５ａを構成する整流用ダイオードＤ２を介して検波回路５ｂに接続されている。検波回路５ｂはコンデンサＣ３と抵抗Ｒ６よりなり、包絡線検波を行い、検波信号ＳＧ１を出力する。検波信号ＳＧ１の波形は、１次側が非変調時にはＬレベル、１次側が変調時には、Ｈレベルとなる方形波となる。そして、検波信号ＳＧ１は、次段の指令回路５ｃを構成するハイパスフィルタ回路１３に出力される。
【００９２】
ハイパスフィルタ回路１３は、抵抗Ｒ７とコンデンサＣ７の直列回路と、抵抗Ｒ８とコンデンサＣ８の並列回路とが直列に接続され、その直列回路が検波回路５ｂに接続されている。ハイパスフィルタ回路１３は、検波信号ＳＧ１を入力し、その検波信号ＳＧ１に対する出力信号を点灯制御信号ＳＸ（第５点灯制御信号Ｓ５）としてコンデンサＣ７とコンデンサＣ８の接続点Ｎ２から出力する。
【００９３】
点灯制御信号ＳＸ（第５点灯制御信号Ｓ５）は、検波信号ＳＧ１がＬレベルからＨＬレベルになると（１次側が非変調から変調になると）、グランドを中心にＬレベルからＨレベルに、反対に、検波信号ＳＧ１がＨレベルからＬレベルになると（１次側が変調から非変調になると）、グランドを中心にＨレベルからＬレベルとなる方形波状の信号波形となる。そして、点灯制御信号ＳＸ（第５点灯制御信号Ｓ５）は、次段の電力制御回路５ｄに出力される。
【００９４】
電力制御回路５ｄは、ＮＰＮトランジスタよりなるスイッチング用の第３トランジスタＱ５と、その第３トランジスタＱ５のベース・エミッタ間に接続した抵抗Ｒ９とよりなる。第３トランジスタＱ５は、そのコレクタ端子がＬＥＤ６のカソード端子に接続され、そのエミッタ端子が２次コイルＬ２の他方の端子に接続されている。
【００９５】
第３トランジスタＱ５は、ベース端子にハイパスフィルタ回路１３からの点灯制御信号ＳＸを入力する。そして、第３トランジスタＱ５は、点灯制御信号ＳＸがＨレベルのときオンし、点灯制御信号ＳＸがＬレベルのときオフする。
【００９６】
つまり、１次側が変調しているとき、第３トランジスタＱ５はオンし、ＬＥＤ６を点灯させる。反対に、１次側が非変調しているとき、第３トランジスタＱ５はオフし、ＬＥＤ６を消灯灯させる。従って、第５グループＧ５に属する各発光機器Ｍ５は、給電装置３が振幅変調している時にＬＥＤ６が点灯されるようになっている。
（発光機器Ｍ２）
第２グループＧ２の発光機器Ｍ２は、前記した発光機器Ｍ５の電力制御回路５ｄを除いて発光機器Ｍ５と同じ構成である。そのため、説明の便宜上、発光機器Ｍ２は、電力制御回路５ｄについてのみ説明する。
【００９７】
発光機器Ｍ２の電力制御回路５ｄは、第３トランジスタＱ５の前段に反転回路を備えている。反転回路は、ＮＰＮトランジスタよりなる反転トランジスタＱ６、抵抗Ｒ１０，Ｒ１１よりなり、ハイパスフィルタ回路１３からの点灯制御信号ＳＸを反転させ、その反転点灯制御信号ＢＳＸ（第２点灯制御信号Ｓ２）を第３トランジスタＱ５のベース端子に出力する。
【００９８】
そして、第３トランジスタＱ５は、点灯制御信号ＳＸがＨレベルのときオフし、点灯制御信号ＳＸがＬレベルのときオンする。つまり、１次側が変調しているとき、第３トランジスタＱ５はオフし、ＬＥＤ６を消灯させる。反対に、１次側が非変調しているとき、第３トランジスタＱ５はオンし、ＬＥＤ６を点灯させる。
【００９９】
従って、第２グループＧ２に属する各発光機器Ｍ２は、給電装置３が振幅変調していない時、ＬＥＤ６が点灯されるようになっている。
（発光機器Ｍ４）
第４グループＧ４の発光機器Ｍ４は、前記した発光機器Ｍ５の電力制御回路５ｄが相違するとともに、新たに補助電源回路５ｅを設けた。そのため、説明の便宜上、発光機器Ｍ２は、電力制御回路５ｄと補助電源回路５ｅについてのみ説明する。
【０１００】
第１トランジスタ回路を構成する電力制御回路５ｄの第３トランジスタＱ３は、抵抗ＲｚとＬＥＤ６の直列回路と並列に接続されている。また、発光機器Ｍ４は、１次コイルＬ１から発生する交番磁束を鎖交する新たな補助２次コイルＬ３有し、その補助２次コイルＬ３から出力される受電電力が、整流用ダイオードＤ３と平滑用コンデンサＣ９からなる補助電源回路５ｅに供給される。
【０１０１】
補助電源回路５ｅは、補助２次コイルＬ３から出力される受電電力から直流電圧（０．７ボルトより少し大きい電圧）を生成し、その直流電圧を電力制御回路５ｄに設けた抵抗Ｒ１２を介して第３トランジスタＱ５のベース端子にバイアス電圧として印加する。
【０１０２】
従って、第４グループＧ４に属する各発光機器Ｍ４は、給電装置３が振幅変調している時であってその時の検波信号ＳＧ１（点灯制御信号ＳＸ）が負の期間の時にＬＥＤ６が点灯されるようになっている。
（発光機器Ｍ３）
第３グループＧ３の発光機器Ｍ３は、前記した発光機器Ｍ４の電力制御回路５ｄを除いて発光機器Ｍ４と同じである。そのため、説明の便宜上、発光機器Ｍ３は、電力制御回路５ｄについてのみ説明する。
【０１０３】
発光機器Ｍ３の電力制御回路５ｄは、第３トランジスタＱ５の前段に反転回路を備えている。反転回路は、ＮＰＮトランジスタよりなる反転トランジスタＱ７、抵抗Ｒ１３，Ｒ１４，Ｒ１５とからなり、ハイパスフィルタ回路１３からの点灯制御信号ＳＸを反転し、その反転点灯制御信号ＢＳＸ（第３点灯制御信号Ｓ３）を第３トランジスタＱ５のベース端子に出力する。
【０１０４】
つまり、発光機器Ｍ３のＬＥＤ６は、発光機器Ｍ４のＬＥＤ６と正反対の点灯動作を行うことになる。
上記のように構成することによって、給電装置３の１次コイルＬ１に振幅変調させた交番電力を印加するだけで、各グループＧ１〜Ｇ５の発光機器Ｍ１〜Ｍ５にそれぞれ異なる点灯表示パターンを表現することができる。
（第２実施形態）
次に、第２実施形態について、図９に従って説明する。
【０１０５】
本実施形態は、第１実施形態が給電装置３にて振幅変調を行って、各グループＧ１〜Ｇ５の発光機器Ｍ１〜Ｍ５に対してそれぞれ異なる点灯表示パターンを表現するようにしたが、これに代えて、周波数変調を行った点に特徴を有する。
【０１０６】
本実施形態では、図４に示すように、給電装置３に設けた制御部７の変調回路７ｂを、図９に示すように、周波数変調回路７ｅにしている。
つまり、周波数変調回路７ｅは、周波数変調を行うタイミング及び周波数変調し続ける期間を制御する指令部９からの指令信号ＳＳを制御回路７ａを介して入力する。そして、周波数変調回路７ｅは、指令信号ＳＳに基づいて、高周波インバータ回路８が１次コイルＬ１に印加する交番電力を周波数変調させる。
【０１０７】
そして、２次コイルＬ２の受電電力の波形は、周波数変調された波形に変わるが、発光機器Ｍ１〜Ｍ５の回路部５は、第１実施形態での検波信号ＳＧ１を取得することができる。
【０１０８】
従って、第１実施形態と同様に、給電装置３の１次コイルＬ１に、周波数変調させた交番電力を印加するだけで、各グループＧ１〜Ｇ５の発光機器Ｍ１〜Ｍ５にそれぞれ異なる点灯表示パターンを表現することができる。
（第３実施形態）
次に、第３実施形態について、図１０〜図１３に従って説明する。
【０１０９】
本実施形態では、前記第２実施形態の周波数変調において、発光機器Ｍ１〜Ｍ５に設けた２次コイルＬ２とコンデンサＣとで構成される回路が、可変した周波数ごとで同調するように、その２次コイルＬ２とコンデンサＣの値を、発光機器Ｍ１〜Ｍ５毎に調整することを特徴とする。
【０１１０】
図１０は、第１グループＧ１と第２グループＧ２の発光機器Ｍ１，Ｍ２を備えたＬＥＤ照明装置１の電気ブロック回路図である。
図１０において、給電装置３に設けた制御部７の変調回路７ｂを、周波数切り替え回路７ｆにしている。
【０１１１】
つまり、周波数切り替え回路７ｆは、高周波インバータ回路８が１次コイルＬ１に印加する交番電力の周波数を２種類の周波数を交互に変調させことができる。そして、周波数切り替え回路７ｆは、その２種類の周波数変調を行うタイミング及び周波数変調し続ける期間を制御する指令部９からの指令信号ＳＳを制御回路７ａを介して入力する。
【０１１２】
第１グループＧ１の発光機器Ｍ１は、その２次コイルＬ２のインダクタンスとコンデンサＣ（Ｃａ）の数値を、２種類の周波数のうち一方の周波数と並列共振するように設定し、図１３に示すように、一方の周波数に変調された交番電力のインバータ電圧Ｖ１に対して給電電力の２次電圧Ｖ２ａが大きな値になるようにする。
【０１１３】
第２グループＧ２の発光機器Ｍ２は、その２次コイルＬ２のインダクタンスとコンデンサＣ（Ｃｂ）の数値を、２種類の周波数のうち他方の周波数と並列共振するように設定し、図１３に示すように、他方の周波数に変調された交番電力のインバータ電圧Ｖ１に対して給電電力の２次電圧Ｖ２ｂが大きな値になるようにする。
【０１１４】
そして、各発光機器Ｍ１，Ｍ２の回路部５は、共振して大きな２次電圧Ｖ２ａ，Ｖ２ｂの受電電力をそれぞれ入力したとき、ＬＥＤ６を点灯させるための点灯制御信号ＳＸ１，ＳＸ２を、図１３に示すように、出力するようになっている。
【０１１５】
これによって、周波数を変えることで、第１グループＧ１の発光機器Ｍ１と第２グループＧ２の発光機器Ｍ２を交互に点灯させることができる。
尚、本実施形態では、２次コイルＬ２に並列にコンデンサＣ（Ｃａ，Ｃｂ）を接続した例を示したが、２次コイルＬ２に直列にコンデンサＣ（Ｃａ，Ｃｂ）を接続し、直列共振させるように構成してもよい。
【０１１６】
また、２つの周波数を大きくずらせば、受電電力の２次電圧Ｖ２ａ，Ｖ２ｂの大きさの比が大きくできるため、図１１に示すように、発光機器Ｍ１，Ｍ２の回路部５を整流回路等の受電回路５ａだけでＬＥＤ６を明確に点灯制御できる。
【０１１７】
また、２つの周波数の差が小さい場合には、図１２に示すように、周波数検出回路５ｆを設け、これに応じて受電電力を制御すれば、第１グループＧ１の発光機器Ｍ１と第２グループＧ２の発光機器Ｍ２を交互に点灯させることができる。
（第４実施形態）
次に、第４実施形態について、図１４、図１５に従って説明する。
【０１１８】
本実施形態では、給電装置３の１次コイルＬ１を発光機器の各グループに対応して複数設けた点に特徴を有する。
本実施形態では、第１グループＧ１の複数の発光機器Ｍ１と、第２グループＧ２の複数の発光機器Ｍ２を点灯するＬＥＤ照明装置について説明する。
【０１１９】
図１４に示すように、給電装置３は、第１グループ用の１次コイルＬ１ａと第２グループ用の１次コイルＬ１ｂを備えている。両１次コイルＬ１ａ，Ｌ１ｂは、同一の巻線形状で互い重ね合わせてベース２に一体的に樹脂モールドされている。
【０１２０】
また、給電装置３は、第１グループ用の１次コイルＬ１ａのための第１高周波インバータ回路８ａと第１制御部７Ａ、及び、第２グループ用の１次コイルＬ１ｂのための第２高周波インバータ回路８ｂと第２制御部７Ｂがそれぞれ設けられている。
【０１２１】
第１制御部７Ａは、第１高周波インバータ回路８ａを介して第１グループ用１次コイルＬ１ａに所定の第１周波数の交番電力を所定のタイミング、及び、所定の期間印加するようになっている。
【０１２２】
第２制御部７Ｂは、第２高周波インバータ回路８ｂを介して第２グループ用の１次コイルＬ１ｂに対して、第１グループ用の１次コイルＬ１ａに印加する交番電力の第１周波数と異なる第２周波数の交番電力を所定のタイミング、及び、所定の期間印加するようになっている。
【０１２３】
第１制御部７Ａ及び第２制御部７Ｂは、指令部９からの指令信号ＳＳ１，ＳＳ２をそれぞれ入力し、その指令信号ＳＳ１，ＳＳ２に基づいて、第１グループ用の１次コイルＬ１ａと第２グループ用の１次コイルＬ１ｂに対して、所定のタイミング、及び、所定の期間にそれぞれ異なる周波数の交番電力を印加させるようにしている。
【０１２４】
本実施形態では、図１５に示すように、第１グループ用の１次コイルＬ１ａに印加される第１周波数のインバータ電圧Ｖ１ａと、第２グループ用の１次コイルＬ１ｂに印加される第２周波数のインバータ電圧Ｖ１ｂが、交互に印加されるようになっている。
【０１２５】
第１グループＧ１の各発光機器Ｍ１は、その２次コイルＬ２のインダクタンスとコンデンサＣ（Ｃａ）の数値を、第１周波数と並列共振するように設定し、第１周波数の交番電力を受電しその給電電力にて回路部５を介してＬＥＤ６を点灯させる。
【０１２６】
第２グループＧ２の各発光機器Ｍ２は、その２次コイルＬ２のインダクタンスとコンデンサＣ（Ｃｂ）の数値を、第２周波数と並列共振するように設定し、第２周波数の交番電力を受電しその受電電力にて回路部５を介してＬＥＤ６を点灯させる。
【０１２７】
従って、各発光機器Ｍ１のＬＥＤ６は、第１グループ用の１次コイルＬ１ａから発生する第１周波数の交番磁束に基づいて一斉に点灯し、各発光機器Ｍ２のＬＥＤ６は、第２グループ用の１次コイルＬ１ｂから発生する第２周波数の交番磁束に基づいて一斉に点灯する。
【０１２８】
その結果、図１５に示すように、第１グループ用の１次コイルＬ１ａと第２グループ用の１次コイルＬ１ｂに対して、それぞれ異なる周波数の交番電力を交互に印加することによって、それぞれ回路部５において点灯制御信号ＳＸａ、ＳＸｂが生成され、第１グループＧ１の発光機器Ｍ１と第２グループＧ２の発光機器Ｍ２を交互に点灯することができる。
（第５実施形態）
次に、第５実施形態について、図１６に従って説明する。
【０１２９】
本実施形態では、給電装置３に、新たに送信アンテナを設け、該送信アンテナから、各グループの発光機器に対して点灯制御のための送信信号を送信し、各発光機器に新たに設けた受信アンテナで受信し、各発光機器が受信アンテナで受信した点灯制御のための信号に基づいて一斉に点灯制御される点に特徴がある。
【０１３０】
図１６に示すように、高周波インバータ回路８は制御部７にて駆動制御され電力送電用の１次コイルＬ１に、駆動周波数が約１００ＫＨｚのインバータ電圧Ｖ１を印加する。制御部７は、高周波インバータ回路８から出力されるインバータ電圧Ｖ１を振幅変調や周波数変調は行わない。
【０１３１】
給電装置３は、新たな送信アンテナＡＴ１及び信号発生回路１６が設けられている。信号発生回路１６は、３ＭＨｚの搬送波を生成すとともに、変調回路１７からの変調信号に応答して前記搬送波を振幅変調して、送信アンテナＡＴ１に出力する。ここで、変調回路１７は、信号制御部１８を介して指令部９からに指令信号ＳＳに基づいて、３MHｚの搬送波が1秒毎の振幅変調された信号を送信アンテナＡＴ１に出力するように信号発生回路１６を制御する。
【０１３２】
一方、発光機器Ｍ１〜Ｍ５は、新たに受信アンテナＡＴ２を設ける。受信アンテナＡＴ２は、送信アンテナＡＴ１から送信された振幅変調された信号を受信するとその受信信号を検波回路１９に出力する。検波回路１９は、振幅変調された信号を検波しその検波信号ＳＧ１を制御回路２０に出力する。
【０１３３】
そして、制御回路２０は、入力した検波信号ＳＧ１に基づいて元の１秒の方形波を生成し、該方形を使って回路部５が２次コイルＬ２を介して受電した受電電力をＬＥＤ６に供給制御する。これによって、上記実施例と同様な、効果を得ることができる。
【０１３４】
しかも、このように構成することにより、１次コイルＬ１に変調した交番電力を印加することがなくなるとともに、また、発光機器Ｍ１〜Ｍ５の回路部５には、内部に検波回路５ｂ等を設ける必要がなくなることから、安定した受電電力が得られ、ＬＥＤ６の点灯制御が容易に行え、且つ、回路構成も簡単にできる。
（第６実施形態）
次に、第６実施形態について、図１７〜図２０に従って説明する。
【０１３５】
本実施形態では、３以上の振幅値を使って振幅変調したり、３つ以上の周波数を使って周波数変調して、各グループＧ１〜Ｇ５の発光機器Ｍ１〜Ｍ５にそれぞれ異なる点灯表示パターンを表現した点に特徴を有する。
【０１３６】
図１７において、給電装置３には、振幅連続可変回路２１を備え、高周波インバータ回路８は、振幅連続可変回路２１からの切換信号に基づいて、種々の振幅値のインバータ電圧Ｖ１を生成し、１次コイルＬ１に印加する。振幅連続可変回路２１は、制御部２２を介して指令部９から入力された指令信号ＳＳに基づいて、３つ以上の振幅値が連続して可変する切換信号を生成し、高周波インバータ回路８に出力する。
【０１３７】
そして、インバータ電圧Ｖ１の振幅値をその時々で段階的に可変制御することによって、２次コイルＬ２の受電電力を可変させる。これによって、各発光機器Ｍ１〜Ｍ５のＬＥＤ６の明るさも適宜可変もできるようになり、表現のバリエーションがさらに増え前記した効果をさらに高めることができる。
【０１３８】
また、図１８に示すように、振幅連続可変回路２１に代えて、給電装置３に周波数連続可変回路２５を備えてもよい。この場合、高周波インバータ回路８は、周波数連続可変回路２５からの切換信号に基づいて、種々の周波数のインバータ電圧Ｖ１を生成し、１次コイルＬ１に印加する。そして、周波数連続可変回路２５は、制御部２６を介して指令部９から入力された指令信号ＳＳに基づいて、３つ以上の周波数が連続して可変する切換信号を生成し、高周波インバータ回路８に出力する。
【０１３９】
ところで、発光機器Ｍ１〜Ｍ５に設けた２次コイルＬ２に並列（あるいは直列）にコンデンサＣを接続した場合、受電電力の周波数に対する受電電力は、図１９に示すように、ある周波数で受電電力がピークを持つ。
【０１４０】
そして、図１９に示すＡ領域内で周波数を可変した場合、図２０に示すように、周波数が高くなるほど受電電力（２次電圧Ｖ２）が小さくなる。つまり、発光機器Ｍ１〜Ｍ５のＬＥＤ６は、周波数を高くすると、その明るさが全てＬＥＤ６で一様に漸次暗くなり連続的な調光が可能になる。その結果、表現のバリエーションがさらに増え前記した効果がさらに高まる。
【０１４１】
なお、図１９のＢ領域を使っても、Ａ，Ｂ全領域で制御しても連続的な調光が可能になることは勿論である。
（第７実施形態）
次に、第７実施形態について、図２１に従って説明する。
【０１４２】
本実施形態では、複数の発光機器Ｍ１〜Ｍ５に、給電装置３に対する情報通信機能を有することを特徴とする。
本実施形態では、図２１に示すように、図１７のＬＥＤ照明装置１に示すＬＥＤ照明装置１の給電装置３に、情報通信部３０ａとアンテナＡＴａが新たに設けられているとともに、各発光機器Ｍ１〜Ｍ５に、情報通信部３０ｂとアンテナＡＴｂが新たに設けた。
【０１４３】
そして、情報通信部３０ａ，３０ｂとアンテナＡＴａ，ＡＴｂを使って給電装置３と各発光機器Ｍ１〜Ｍ５が一方向又は双方向に情報伝送を可能にしたものである。
これによって、給電装置３は、各発光機器Ｍ１〜Ｍ５の個々の情報（状態）が把握できる。また、給電装置３から各発光機器Ｍ１〜Ｍ５に対し、指令を別ルートのアンテナＡＴａ、ＡＴｂを介して送信できるため、給電装置３側の１次コイルＬ１からの同期制御の指令パターンに加えてアンテナＡＴａ，ＡＴｂを介して指定による発光機器Ｍ１〜Ｍ５内部での回路制御を組み合わせて行うことで、より複雑なパフォーマンスを発光機器Ｍ１〜Ｍ５に持たせることができる。
（第８実施形態）
次に、第８実施形態について、図２２〜図２４に従って説明する。
【０１４４】
本実施形態では、給電装置３の指令部９から出力した指令信号ＳＳを正又は負のトリガパルスとし、そのトリガパルスを発光機器Ｍ１〜Ｍ５が検知し、その検知したトリガパルスに応答して発光機器Ｍ１〜Ｍ５を一定期間の点灯制御を行う点に特徴を有する。
【０１４５】
図２２に示すように、本実施形態のＬＥＤ照明装置１は、発光機器Ｍ５の検波回路５ｂと電力制御回路５ｄとの間に、波形整形回路３１と１パルス発生回路３２を設けている。
そして、１パルス発生回路３２は検波回路５ｂで検波した正のトリガパルスＴＰ１に同期して出力される波形整形回路３１からの正のトリガパルスＴＰ２の立ち上がりに応答して予め定めた一定時間、図２３に示すように、Ｈレベルのパルス信号ＴＰ３を電力制御回路５ｄの第３トランジスタＱ５のベース端子に出力するようにした。
【０１４６】
従って、給電装置３側の変調波形における短い正のトリガパルス波形を作るタイミングと、発光機器Ｍ５側の１パルス発生回路３２の周期を適宜組み合わせることで、任意の点滅周期と点灯期間を設定できるため、表現の自由度が高くなる。
【０１４７】
尚、図２２に示す回路構成で、給電装置３側が変調波形における短い負のトリガパルス波形を出力する場合、１パルス発生回路３２は検波回路５ｂで検波した負のトリガパルスの立ち上がりに応答して予め定めた一定時間、図２４に示すように、Ｈレベルのパルス信号を電力制御回路５ｄの第３トランジスタＱ５のベース端子に出力するようにする。
【０１４８】
従って、同様に、給電装置３側の変調波形における短い負のトリガパルス波形を作るタイミングと、発光機器Ｍ５側の１パルス発生回路３２の周期を適宜組み合わせることで、任意の点滅周期と点灯期間を設定できるため、表現の自由度が高くなる。
（第９実施形態）
次に、第９実施形態について、図２５〜図２８に従って説明する。
【０１４９】
本実施形態は、給電装置３の指令部９から出力した指令信号ＳＳの正の立ち上がり及び又は負の立ち下がりを検知し、その検知した立ち上がり又は立ち下がりに応答して発光機器Ｍ１〜Ｍ５を一定期間の点灯制御を行う点に特徴を有する。
【０１５０】
図２５に示すように、本実施形態のＬＥＤ照明装置１は、図９に示す発光機器Ｍ５のハイパスフィルタ回路１３と電力制御回路５ｄとの間に、正の立ち上り検出回路３３と１パルス発生回路３４を設けている。
【０１５１】
正の立ち上り検出回路３３にて、ハイパスフィルタ回路１３から出力される点灯制御信号ＳＸの正の立ち上がり部を検出する。１パルス発生回路３４は正の立ち上り検出回路３３のその立ち上がり検知に応答して予め定めた一定時間、図２６に示すように、Ｈレベルのパルス信号Ｐ４を電力制御回路５ｄの第３トランジスタＱ５のベース端子に出力するようにする。
【０１５２】
従って、給電装置３側の変調波形の周期と、発光機器Ｍ１〜Ｍ５側の1パルス発生回路３４の周期を適宜組み合わせことで任意の点滅周期と点灯時間を設定できるため、表現の自由度が高くなる。
【０１５３】
尚、ハイパスフィルタ回路１３から出力される点灯制御信号ＳＸの負の立ち上がり部を検出する場合、図２７に示すように、正の立ち上り検出回路３３に代えて、負の立ち上がり検出回路３５に置き換える。
【０１５４】
負の立ち下がり検出回路３５にて、ハイパスフィルタ回路１３から出力される点灯制御信号ＳＸの負の立ち上り部を検出する。１パルス発生回路３４は負の立ち下り検出回路３５のその立ち上がり検知に応答して予め定めた一定時間、図２８に示すように、Ｈレベルのパルス信号Ｐ５を電力制御回路５ｄの第３トランジスタＱ５のベース端子に出力するようにする。
【０１５５】
この場合にも、同様に、給電装置３側の変調波形の周期と、発光機器Ｍ１〜Ｍ５側の1パルス発生回路３４の周期を適宜組み合わせことで任意の点滅周期と点灯時間を設定できるため、表現の自由度が高くなる。
（第１０実施形態）
次に、第１０実施形態について、図２９に従って説明する。
【０１５６】
本実施形態は、各グループＧ１〜Ｇ５の各発光機器Ｍ１〜Ｍ５を、１次コイルＬ１及び給電装置３を透明樹脂材料で樹脂モールドしたベース２に着脱可能に配置した点に特徴を有する。
【０１５７】
図２９（ａ）に示すように、１次コイルＬ１及び給電装置３を透明樹脂材料で樹脂モールドしたベース２の上面には、複数の嵌合凹部２ａが凹設されている。そして、その凹設された各嵌合凹部２ａに、図２９（ｂ）に示すように、複数（本実施形態では５つ）のグループ毎に区分けされた複数の発光機器Ｍ１〜Ｍ５がそれぞれ着脱可能に嵌着固定されている。
【０１５８】
従って、本発明により、予め発光機器Ｍ１〜Ｍ５の配置が決まっている場合には、整然とした配列ができるとともに、台座４が省略できる分部品点数が削減できる。
また、ベース２に対して位置決めに加えて固定できるため、給電装置３や発光機器Ｍ１〜Ｍ５の方向を変えても外れたりしない。また、発光機器Ｍ１〜Ｍ５の位置関係を何度も着脱変更可能となる。
【０１５９】
さらに、各発光機器Ｍ１〜Ｍ５を、１次コイルＬ１及び給電装置３を透明樹脂材料で樹脂モールドしたベース２に着脱可能に配置したので、完全に独立発光していることが視覚的に確認でき、特に暗所においては、空間に浮いた神秘的（ミステリアス）な演出も可能となる。
【０１６０】
なお、発光が完全に妨げられない限り、半透明材料など、透明素材でなくてもよい。
（第１１実施形態）
次に、第１１実施形態について、図３０、図３１に従って説明する。
【０１６１】
本実施形態は、発光機器Ｍ１〜Ｍ５に設けた２次コイルＬ２の給電面（コイル面）がどの方向でも受電できるように受電面を３つ有し、互いに垂直方向に配置されている点に特徴を有する。
【０１６２】
図３０（ａ）に示すように、発光機器Ｍ１〜Ｍ５は、ＬＥＤ６等と一体的に透明の樹脂材料にて樹脂モールドした２次コイルＬ２のコイル面（給電面）が、どの方向でも受電できるように受電面が３つに形成され、各面が互いに垂直方向に配置されてモールドされている。
【０１６３】
これによって、３つの給電面によって、１次コイルＬ１に対する発光機器Ｍ１〜の位置関係がどのようになっても給電が可能であるため、発光機器Ｍ１〜Ｍ５の配置位置が広くなり応用自由度が増す。
【０１６４】
この２次コイルＬ２の作り方は、例えば、図３０（ｂ）に示すように、大径の形成した２次コイルＬ２Ａを、２箇所で捩り、３つの小径の２次コイルＬ２Ｂ１，Ｌ２Ｂ２，Ｌ２Ｂ３を形成する。そして、３つの小径の２次コイルＬ２Ｂ１〜Ｌ２Ｂ３が、そのコイル面（受電面）が互いに垂直方向に配置されるように折り曲げることによって形成される。
【０１６５】
また、その他の方法として、図３１に示すように、それぞれ独立した２次コイルＬ２を３つ設け、それぞれの２次コイルＬ２を整流回路３７を介してミキサ３８の接続する。そして、これらを各コイル面が互いに垂直(あるいは直角)になるように配置して、樹脂モールドし個々の整流回路３７及びミキサ３８を通してどの方向でも電力が取れるようにしてもよい。
（第１２実施形態）
次に、第１２実施形態について図３２、図３３に従って説明する。
【０１６６】
本実施形態は、給電装置３が設けられたベース２に対する発光機器Ｍ１〜Ｍ５の配置固定に特徴を有する。
図３２（ａ）は、発光機器Ｍ１〜Ｍ５の下面に接着剤４１を施す。そして、発光機器Ｍ１〜Ｍ５を接着剤４１にてベース２の上面に接着固定させている。
【０１６７】
この場合、発光機器Ｍ１〜Ｍ５を任意の場所に自由に配置固定させるこができる。
図３２（ｂ）は、発光機器Ｍ１〜Ｍ５の下面にピン４２を設ける。そして、ピン４２をベース２の上面に刺して、発光機器Ｍ１〜Ｍ５をベース２に固定させている。
【０１６８】
この場合も、発光機器Ｍ１〜Ｍ５を任意の場所に自由に配置固定させるこができる。
図３２（ｃ）は、発光機器Ｍ１〜Ｍ５の下面に磁石４３を設ける。一方、ベース２の上部に鉄板４４をモールドする。そして、磁石４３をベース２の上面において鉄板４４と磁力で吸着させることによって、発光機器Ｍ１〜Ｍ５をベース２に固定させている。
【０１６９】
この場合も、発光機器Ｍ１〜Ｍ５を任意の場所に自由に配置固定させるこができる。
図３２（ｄ）は、発光機器Ｍ１〜Ｍ５の上面にフック４５を設ける。一方、ベース２の上方位置に前記フック４５を掛け止めする吊り輪４６を配置する。そして、フック４５を吊り輪４６に掛けることにより、発光機器Ｍ１〜Ｍ５はベース２の上方位置に配置される。このとき、発光機器Ｍ１〜Ｍ５は給電装置３から受電できる高さ位置に配置されることは勿論である。
【０１７０】
図３３は、図３２（ｂ）に示す発光機器Ｍ１〜Ｍ５を使った応用例を示す。
図３３（ａ）（ｂ）は、台座４をカレンダ、伝言板等の四角板状のコミュニケーションボード５０に成形し、そのコミュニケーションボード５０の上面にフック５１を設けた天板５２が固設されている。そして、コミュニケーションボード５０の裏面に、１次コイルＬ１及び給電装置３を内蔵したベース２を固設するとともに、天板５２の上面に、同じく１次コイルＬ１及び給電装置３を内蔵したベース２を固設する。
【０１７１】
このように構成したコミュニケーションボード５０に対して、下面にピン４２を設けた発光機器Ｍ１〜Ｍ５で、メモ用紙５３を刺して止める。そして、メモ用紙５３をコミュニケーションボード５０に刺して止めた発光機器Ｍ１〜Ｍ５を、給電装置３からの給電によって点灯制御する。
【０１７２】
従って、ユーザは目的や好みに合わせて自由自在に発光機器Ｍ１〜Ｍ５を着脱配置でき、メモ用紙５３の注意を引く場所に自由に配置することができる。しかも、発光機器Ｍ１〜Ｍ５を変更することで、異なる発光色の発光や点滅ができ、重要情報と一般情報との区別もできる。暗い場所でも分かる。また、インテリア性に優れたコミュニケーションボードにすることができる。
（第１３実施形態）
次に、第１３実施形態について、図３４に従って説明する。本実施形態は、ＬＥＤ照明装置１を玩具のジグソーパズルに応用した点に特徴を有する。
【０１７３】
図３４（ａ）はジグソーパズル５５の正面図、図３４（ａ）はジグソーパズル５５の断面図を示す。ジグソーパズル５５は、ベース２と同様に、１次コイルＬ１及び給電装置３を内蔵したパズル台５６の上面に、形成した仕切枠５７によって種々異なる形状をした複数の凹部５８が形成されている。また、種々異なる形状をした凹部５８に、嵌め込まれるピース５９は、透明樹脂材料で形成され、それぞれ、凹部の形状に合わせた形状に形成されている。そして、透明樹脂材料で形成されたピース５９は、第１実施形態の発光機器Ｍ１〜Ｍ５のように、２次コイルＬ２、コンデンサＣ、回路部５及びＬＥＤ６を樹脂モールドしている。そして、凹部５８に嵌め込まれた各ピース５９は、２次コイルＬ２を介してベース２に設けた給電装置３から受電すればそれぞれ点灯制御される。
【０１７４】
このように、構成したジグソーパズル５５によれば、複数のピース５９を使って１つの絵や写真を完成した後に各ピース５９を点灯、点滅するようにすれば、完成した絵や写真の鑑賞効果をもりあげることができるとともに、また暗所に置けばイルミネーションとしても使用できる。
（第１４実施形態）
次に、第１４実施形態について、図３５に従って説明する。本実施形態は、ＬＥＤ照明装置１を玩具のブロック玩具に応用した点に特徴を有する。
【０１７５】
図３５はブロック玩具６１の断面図を示す。ブロック台６２は、ベース２と同様に、１次コイルＬ１及び給電装置３を内蔵し、その上面に、嵌合突起６３が複数等間隔に形成されている。また、ブロック６４は、その一側面に嵌合突起６５が複数等間隔に形成されているとともに、他側面にブロック台６２の嵌合突起６３又は他のブロック６４の嵌合突起６５が嵌合する嵌合凹部６６が複数等間隔に凹設されている。ブロック６４は、透明樹脂材料で形成され、第１実施形態の発光機器Ｍ１〜Ｍ５と同様に、２次コイルＬ２、コンデンサＣ、回路部５及びＬＥＤ６を樹脂モールドしている。また、ブロック６４は、第１実施形態の発光機器Ｍ１〜Ｍ５のように、２次コイルＬ２、コンデンサＣ、回路部５及びＬＥＤ６を樹脂モールドしている。
【０１７６】
そして、ブロック台６２の嵌合突起６３にブロック６４の嵌合凹部６６を嵌め込めば、ブロック６４は、２次コイルＬ２を介してＬＥＤ６を点灯させる受電電力をブロック台６２に設けた給電装置３から受電することができる。その結果、各ブロック６４はそれぞれ点灯制御される。
【０１７７】
このように、構成したブロック玩具６１によれば、ブロック６４の任意に組み立て配置した後に各ブロックを点灯、点滅させるようにすれば、完成したブロックの鑑賞効果をもりあげることができるとともに、また暗所に置けばイルミネーションとしても使用できる。
（第１５実施形態）
次に、第１５実施形態について、図３６に従って説明する。
【０１７８】
本実施形態は、ＬＥＤ照明装置１を将棋やチェス等のゲーム盤に応用した点に特徴を有する。
図３６（ａ）はゲーム盤７１の正面図を示し、図３６（ｂ）はゲーム盤７１の断面図を示す。
【０１７９】
ゲーム盤７１のゲーム台７２は、１次コイルＬ１及び給電装置３を透明樹脂で樹脂モールドした四角板体であって、その上面に、格子状の線が形成されている。このとき、１次コイルＬ１のコイル形状は、ゲーム台７２の形状に合わせて四角環状に形成されている。
【０１８０】
また、ゲーム台７２の上面に配置される各種のゲーム用駒７３は、透明樹脂材料で形成され、第１実施形態の発光機器Ｍ１〜Ｍ５と同様に、２次コイルＬ２、コンデンサＣ、回路部５及びＬＥＤ６を樹脂モールドしている。また、ゲーム用駒７３は、第１実施形態の発光機器Ｍ１〜Ｍ５のように、２次コイルＬ２、コンデンサＣ、回路部５及びＬＥＤ６を樹脂モールドしている。
【０１８１】
そして、ゲーム用駒７３をゲーム台７２の上面に配置すれば、ゲーム用駒７３は、２次コイルＬ２を介してＬＥＤ６を点灯させる受電電力をゲーム台７２に設けた給電装置３から受電することができる。その結果、各ゲーム用駒７３はそれぞれ点灯制御される。
【０１８２】
このように、構成したゲーム盤７１によれば、各ゲーム用駒７３をゲーム台７２に配置すれば各ゲーム用駒７３が点灯、点滅してゲームを盛り上げることができる。
（第１６実施形態）
次に、第１６実施形態について、図３７〜図３９、に従って説明する。
【０１８３】
本実施形態は、天井照明器具に応用した点に特徴を有する。
図３７は天井照明器具７５の分解図を示し、図３７は天井照明器具７５の取り付け状態を説明する説明図を示す。
【０１８４】
天井照明器具７５は、天井７６に設置した照明専用の１００Ｖコンセントの引っ掛けシーリング７７に取着されている。天井照明器具７５は、１次コイルＬ１及び給電装置３を樹脂モールドしたベース２と、複数の発光機器Ｍ１〜Ｍ５がそれぞれ着脱可能に嵌着固定されている台座４とから構成されている。
【０１８５】
ベース２は、引っ掛けシーリング７７と着脱可能に連結固定され、引っ掛けシーリング７７と連結固定さると、引っ掛けシーリング７７に設けた１００Ｖ端子７８とベース２の給電装置３とが電気的に接続される。台座４は、ベース２と着脱可能に連結固定され、ベース２の下側に配置される。
【０１８６】
これによって、台座４に着脱可能に嵌着固定された複数の発光機器Ｍ１〜Ｍ５はＬＥＤ６を点灯させる受電電力をベース２に設けた給電装置３から受電することができる。その結果、複数の発光機器Ｍ１〜Ｍ５はそれぞれ点灯制御される。
【０１８７】
このように、本実施形態の天井照明器具７５によれば、既に天井７６に組み込まれている配線インフラをそのまま利用でき、見栄えも良く、しかも、個々の発光機器Ｍ１〜Ｍ５は好きな時に好きな点灯パターンになるように取り替えることができる。
【０１８８】
尚、図３９に示すように、天井裏に直接工事にて１次コイルＬ１及び給電装置３を樹脂モールドしたベース２を配置し、複数の発光機器Ｍ１〜Ｍ５を着脱可能に取着した台座４を天井７６から鎖又は紐等の吊下部材７９で吊下するようにして実施してもよいことは勿論である。
（第１７実施形態）
次に、第１７実施形態について、図４０〜図４２、に従って説明する。
【０１８９】
本実施形態はＬＥＤ照明装置１をシャンデリアに応用した点に特徴を有する。
図４０はシャンデリア８０の分解図を示し、図４１はシャンデリア８０の取り付け状態を説明する説明図を示す。
【０１９０】
シャンデリア８０は、天井７６に設置した照明専用の１００Ｖコンセントの引っ掛けシーリング７７に取着されている。シャンデリア８０は、１次コイルＬ１、給電装置３及びモータ８１を内蔵したベース８２と、複数の発光機器Ｍ１〜Ｍ５がそれぞれ着脱可能に嵌着固定されている台座８３とを有している。
【０１９１】
ベース８２は、引っ掛けシーリング７７と着脱可能に連結固定され、引っ掛けシーリング７７と連結固定さると、引っ掛けシーリング７７に設けた１００Ｖ端子７８とベース８２の給電装置３及びモータ８１とが電気的に接続される。台座８３は、ベース８２に設けたモータ８１の回転軸８１ａと連結され、ベース８２の下側に配置されるとともに、モータ８１の回転とともに回転するようになっている。
【０１９２】
また、台座８３には、取着した複数の発光機器Ｍ１〜Ｍ５を覆うようにカバー８４が設けられ、そのカバー８４から複数の飾り８５が吊下されている。
これによって、台座８３はモータ８１の回転で共に回転する。そして、台座８３とともに回転する複数の発光機器Ｍ１〜Ｍ５はＬＥＤ６を点灯させる受電電力をベース８２に設けた給電装置３から給電することができる。その結果、複数の発光機器Ｍ１〜Ｍ５は回転しながらそれぞれ点灯制御される。
【０１９３】
このように、本実施形態のシャンデリア８０によれば、既に天井７６に組み込まれている配線インフラをそのまま利用でき、見栄えも良く、しかも、発光機器Ｍ１〜Ｍ５及び飾り８５が回転することで豪華な回転シャンデリアとなり部屋のムードをさらに向上させることができる。
【０１９４】
尚、図４２に示すシャンデリア８０のように、天井裏に直接工事にて１次コイルＬ１及び給電装置３を樹脂モールドしたベース８６を配置する。これに２次コイルＬｚを有するモータ８７を台座８３に固定するとともに、そのモータ８７の出力軸８７ａを天井７６に連結固定する。
【０１９５】
そして、ベース８６の給電装置３の１次コイルＬ１を介して、モータ駆動のための２次コイルＬｚと複数の発光機器Ｍ１〜Ｍ５の２次コイルＬ２の両方に給電するようにして、複数の発光機器Ｍ１〜Ｍ５を回転させながら点灯制御させるようにして実施してもよいことは勿論である。
（第１８実施形態）
次に、第１８実施形態について、図４３、図４４に従って説明する。
【０１９６】
本実施形態は、壁用照明器具に応用した点に特徴を有する。
図４３は壁用照明器具９０の分解図を示し、図３４は照明器具９０の取り付け状態を説明する説明図を示す。
【０１９７】
壁用照明器具９０は、壁９１に設置した照明専用の１００Ｖコンセントボックス９２に取着されている。壁用照明器具９０は、１次コイルＬ１及び給電装置３を樹脂モールドしたベース９３と、複数の発光機器Ｍ１〜Ｍ５がそれぞれ着脱可能に嵌着固定されている台座９４とから構成されている。
【０１９８】
ベース９３は、コンセントボックス９２と着脱可能に連結固定され、コンセントボックス９２と連結固定さると、コンセントボックス９２に設けた１００Ｖ端子９５とベース９３の給電装置３とが電気的に接続される。台座９４は、ベース９３と着脱可能に連結固定され、ベース９３と一定間隔をおいて配置される。
【０１９９】
これによって、台座９４に着脱可能に嵌着固定された複数の発光機器Ｍ１〜Ｍ５はＬＥＤ６を点灯させる受電電力をベース９３に設けた給電装置３から受電することができる。その結果、複数の発光機器Ｍ１〜Ｍ５はそれぞれ点灯制御される。
【０２００】
このように、本実施形態の壁用照明器具９０によれば、既に壁９１に組み込まれている配線インフラをそのまま利用でき、見栄えも良く、しかも、個々のＬＥＤ６は好きな時に好きな点灯パターンになるように取り替えることができる。
（第１９実施形態）
次に、第１９実施形態について、図４５〜図４９に従って説明する。
【０２０１】
本実施形態は、ディスプレーケースに応用した点に特徴を有する。
図４５はディスプレーケース１００の全体斜視図を示す。ディスプレーケース１００は、透明のケースであって、ミニカー等のフィギュア１０１を収容配置している。ディスプレーケース１００は、その透明な天板１０２に給電装置３が配置されている。そして、給電装置３が配置された天板１０２の下面に、発光機器Ｍ１〜Ｍ５を接着剤（図３２（ａ）参照）にて適宜接着させる。
【０２０２】
これによって、天板１０２の下面に接着された複数の発光機器Ｍ１〜Ｍ５はＬＥＤ６を点灯させる受電電力を天板１０２に設けた給電装置３から受電することができる。その結果、複数の発光機器Ｍ１〜Ｍ５はそれぞれ点灯制御される。
【０２０３】
このように、本実施形態のディスプレーケース１００によれば、複数の発光機器Ｍ１〜Ｍ５を異なるパターンで点滅、点灯、消灯させることができるため、演出効果の高い展示を行うことができる。
【０２０４】
尚、ディスプレーケース１００を、図４６に示すように、昆虫、ヤドカリ、亀等の小動物などのペット飼育する飼育ケース１０５に応用してもよい。
飼育ケース１０５は、透明のケースであって、亀等の小動物１０６がケース１０５内に飼育されている。飼育ケース１０５は、その透明な底板１０７に給電装置３が配置されている。そして、亀等の小動物１０６の背中に、発光機器Ｍ１〜Ｍ５を接着剤（図３２（ａ）参照）にて生体を傷付けることなく接着する。
【０２０５】
これによって、亀等の小動物１０６の背中に接着された複数の発光機器Ｍ１〜Ｍ５はＬＥＤ６を点灯させる受電電力を底板１０７に設けた給電装置３から受電することができる。その結果、複数の発光機器Ｍ１〜Ｍ５はそれぞれ点灯制御される。もちろん、この飼育ケース１０５において、給電装置３を飼育ケース１０５の側面や底面に配置して実施してもよい。
【０２０６】
このように、この飼育ケース１０５によれば、小動物１０６に対してアクセサリーとして発光機器Ｍ１〜Ｍ５を、配線コードを用いることなく安全につけることができ、鑑賞効果の向上や夜間、暗所での薄明かりの演出、蛍が共存している幻想的な光景の演出も行うことができる。
【０２０７】
また、ディスプレーケース１００を図４７に示すように、水槽１０８に応用してもよい。
水槽１０８は、透明のケースであって、金魚、熱帯魚の水性動物１０９、水草等の水性植物１１０、砂利１１１が水槽１０８内に配置されている。水槽１０８は、その底板１１２に給電装置３を配置している。一方、水槽１０８内に配置されている水性植物１１０及び砂利１１１には、発光機器Ｍ１〜Ｍ５がアクセサリーとして取り付けられている。
【０２０８】
これによって、水性植物１１０及び砂利１１１に取り付けられた発光機器Ｍ１〜Ｍ５はＬＥＤ６を点灯させる受電電力を底板１１２に設けた給電装置３から受電することができる。その結果、複数の発光機器Ｍ１〜Ｍ５はそれぞれ点灯制御される。勿論、この水槽１０８において、給電装置３を水槽１０８の側面や上面に配置して実施してもよい。
【０２０９】
このように、この水槽１０８によれば、ゆらゆらと揺れる水性植物と連動した光の点滅効果は鑑賞効果をより盛り上げることができる。しかも、全く配線がないため見た目を損なわない。夜は海ほたるのような幻想的な鑑賞効果も得ることができる。
【０２１０】
さらに、図４８（ａ）に示すように、ディスプレーケース１００の天板１０２から紐１１３でヨットのフィギュア１１４を吊り下げるようにして展示するディスプレーケース１００に応用してもよい。
【０２１１】
ディスプレーケース１００は、その底板１０７に給電装置３が配置されている。そして、紐１１３で吊り下げられたフィギュア１１４は、発光機器Ｍ１〜Ｍ５が取り付けられている。
【０２１２】
これによって、フィギュア１１４に取り付けられた発光機器Ｍ１〜Ｍ５はＬＥＤ６を点灯させる受電電力を底板１０７に設けた給電装置３から受電することができる。その結果、複数の発光機器Ｍ１〜Ｍ５はそれぞれ点灯制御される。
【０２１３】
なお、この場合、図４８（ｂ）フィギュア１１４に、発光機器Ｍ１〜Ｍ５の他にファンモータ１１５を新たに設ける。そして、このファンモータ１１５も給電装置３から給電した受電電力にて回転し、回転軸に連結したファン１１６を回転させるようにして実施してもよい。
【０２１４】
これによって、紐１１３が鉛直になったときに最も１次コイルＬ１と２次コイルＬ２の距離が短くなる。すなわち、受電電力も大きくなるこれによりファンモータ１１５が回りファン１１６が回るためフィギュア１１４は振れる。振れると１次コイルＬ１に対し、２次コイルＬ２の相対距離が長くなり、また、磁束の交錯角度も変化するため、受電電力が小さくなる。小さくなるとファン１１６が止まりフィギュア１１４は逆方向に触れようとする。再び１次コイルＬ１と２次コイルＬ２の距離が小さくなり受電電力が増えて反対側に加速される。このようにしてフィギュアを勝手に振れる動作をさせることができる。
【０２１５】
このとき、さらに、ファンモータ１１５の他にブザー１１７をさらに設ける。そして、このブザー１１７も給電装置３から給電した受電電力にて鳴動させるようにして実施してもよい。
【０２１６】
これによって、複数の発光機器Ｍ１〜Ｍ５が自由に揺れながら同期を取って点滅させることができるとともに、光や音に加えて動きまで取り込んだ全く新しいディスプレーが可能になる。
【０２１７】
なお、図４９に示すように、天井７６から紐１１８で羽１１９の付いた発光機器Ｍ１〜Ｍ５を吊り下げ、天井裏に給電装置３を内蔵したベース１２０を設けて実施してもよい。風の力で、ゆらゆら風鈴のように揺れる光を演出することができる。もちろん鈴を設けて光と音を奏でる風鈴のように実施してもよい。
（第２０実施形態）
次に、第２０実施形態について、図５０、図５１に従って説明する。
【０２１８】
本実施形態は、衣服、バッグ、靴等の身に付ける物に応用した点に特徴を有する。
図５０に示すように、着用している衣服１２１の表地に発光機器Ｍ１が設けられている。そして、衣服１２１の裏地に１次コイルＬ１を含む給電装置３が設けられている。また、バッグ１２２の表側には、発光機器Ｍ２が設けられバッグ１２２の内側に１次コイルＬ１を含む給電装置３が設けられている。
【０２１９】
さらに、履いている靴１２３の表に発光機器Ｍ３、Ｍ４が設けられている。そして、靴１２３の内側に１次コイルＬ１を含む給電装置３が設けられている。なお、靴１２３の内側に設けたに給電装置３は、その電源を電池１２４とし、図５１に示すように、電池１２４から各回路７ａ，７ｂ，８及び指令部９に電源電圧を供給してコードレスにする。これは、衣服１２１の裏地に設けた給電装置３及びバッグ１２２の内側に設けた給電装置３も同様でであって電池１２４を駆動電源として使用する。
【０２２０】
これによって、衣服１２１に取り付けられた発光機器Ｍ１、バッグ１２２に取り付けられた発光機器Ｍ２及び靴１２３に取り付けられた発光機器Ｍ３，Ｍ４は、それぞれＬＥＤ６を点灯させる受電電力を内側に設けた給電装置３から受電することができる。その結果、複数の発光機器Ｍ１〜Ｍ４はそれぞれ点灯制御される。
【０２２１】
このように、発光機器Ｍ１〜Ｍ４が点灯制御されることにより、夜間での動くイルミネーションとなり、また遠くからも見えるため、車に対する通行人の認識が非常に容易となる。しかも、給電装置３の駆動電源を電池１２４にしたので、商用電源のないところでも発光機器Ｍ１〜Ｍ５を点灯制御させることができるとともに、給電装置３自体が動いているものに適用することができる。
【０２２２】
なお、前記した給電装置３の駆動電源の電池１２４は、独立した可搬できる電源のことを意味しており、太陽電池、燃料電池、小型の風力発電装置なども含まれる。した本発明の効果は、商用電源のないところでも機能出現ができる。また給電部自体が動いているものに適用できる。
（第２１実施形態）
次に、第２１実施形態について、図５２〜図５５に従って説明する。
【０２２３】
本実施形態は、植物や樹木、あるいは構造物に取り付けるイルミネーションに応用した点に特徴を有する。
図５２（ａ）（ｂ）に示すように、鉢１３０には複数の模造植物１３１が配置されている。その鉢１３０の中には、１次コイルＬ１を含む給電装置３が収められている。また、鉢１３０に配置された複数の模造植物１３１の花、葉、茎、枝には、発光機器Ｍ１〜Ｍ５が取り付けられている。
【０２２４】
これによって、発光機器Ｍ１〜Ｍ５は、ＬＥＤ６を点灯させる受電電力を内側に設けた給電装置３から受電することができる。その結果、複数の発光機器Ｍ１〜Ｍ４はそれぞれ点灯制御される。
【０２２５】
このように、発光機器Ｍ１〜Ｍ５が点灯制御されることにより、夜間でのイルミネーションを幻想的な光景なるように演出することができる。
また、図５３に示すように、実際に地面に植わった樹木１３２の幹や枝、葉などの部分に給電装置３を配置し、その給電装置３の近傍に発光機器Ｍ１〜Ｍ５を配置して実施してもよい、
この場合も、同様に、発光機器Ｍ１〜Ｍ５は、ＬＥＤ６を点灯させる受電電力を内側に設けた給電装置３から受電することができ、それぞれ点灯制御される。その結果、発光機器Ｍ１〜Ｍ５が点灯制御されることにより、夜間でのイルミネーションを幻想的な光景なるように演出することができる。
【０２２６】
さらに、図５４に示すように、台座１３５に設置された置物１３６のイルミネーションに応用してもよい。つまり、置物１３６の内部、台座１３５の内部に給電装置３を配置し、その給電装置３の近傍の置物１３６及び台座１３５の表面に発光機器Ｍ１〜Ｍ５を配置する。
【０２２７】
これによって、発光機器Ｍ１〜Ｍ５は、ＬＥＤ６を点灯させる受電電力を内側に設けた給電装置３から受電することができる。その結果、複数の発光機器Ｍ１〜Ｍ４はそれぞれ点灯制御される。そして、発光機器Ｍ１〜Ｍ５が点灯制御されることにより、夜間での置物１３６のイルミネーションをより幻想的に演出することができる。
【０２２８】
しかも、各発光機器Ｍ１〜Ｍ５は独立した個々のコードレス機器であるので、配線の手間や見栄えの低下を防ぎ任意の位置にいつでも置き換えて楽しむことができる。
また、図５５に示すように、給電装置３の1次コイルＬ１を空芯コイルとする。これによって、該１次コイルＬ１を樹木１３２の幹に貫挿でき容易に配置できることから、発光機器の配置箇所をより増やすことができる。1次コイルＬ１は鉄心が不要となるためコストの面で有利となる。
【０２２９】
また、とりつける形状に合わせて1次コイルＬ１の形状もフレキシブルに変形して対応することができる。なお、広い面積に空芯コイルを適用する場合には、一つの空芯コイルで全体を囲むものでも良いし、複数の小さな空芯コイルを用いたものでも良いことは勿論である。
（第２２実施形態）
次に、第２２実施形態について、図５６、図５７に従って説明する。
【０２３０】
本実施形態は、非接触給電システムの機器部の負荷が異なる点に特徴を有している。
図５６に示すように、負荷としてのＬＥＤ６を、回転モータや振動モータ等の動力発生素子１４０に代えた動力発生機器に具体化してもよい。この場合、２次コイルＬ２は受電した受電電力を、回路部５を介して動力発生素子１４０に供給制御することになる。
【０２３１】
また、図５７に示すように、負荷としてのＬＥＤ６を、ブザーや電子楽器等の音発生素子１４１に代えた音発生機器に具体化してもよい。この場合、２次コイルＬ２は受電した受電電力を、回路部５を介して音発生素子１４１に供給制御することになる。
【符号の説明】
【０２３２】
１…ＬＥＤ照明装置、２…ベース、２ａ，４ａ…嵌合凹部、３…給電装置、４，８３，９４，１３５…台座、５…回路部、５ａ…受電回路、５ｂ，１９…検波回路、５ｃ…指令回路、５ｄ…電力制御回路、５ｅ…補助電源回路、５ｆ…周波数検出回路、６…発光ダイオード（ＬＥＤ）、７，２２，２６…制御部、７ａ，２０…制御回路、７ｂ，１７…変調回路、７ｅ…周波数変調回路、７ｆ…周波数切り替え回路、８…高周波インバータ回路、９…指令部、１２…マイコン、１３…ハイパスフィルタ回路、１６…信号発生回路、１８…信号制御回路、２１…振幅連続可変回路、２４，１２４…電池、２５…周波数連続可変回路、３０ａ，３０ｂ…情報通信部、３１…波形整形回路、３２，３４…１パルス発生回路、３３…検出回路、立ち上がり検出回路、４１…接着剤、４２…ピン、４３…磁石、４５…フック、５０…コミュニケーションボード、５５…ジグソーパズル、６１…ブロック玩具、７１…ゲーム盤、７５…天井照明器具、８０…シャンデリア、９０…壁用照明器具、１００…ディスプレーケース、１０５…飼育ケース、１０８…水槽、Ｃ…コンデンサ、Ｌ１，Ｌ１ａ，Ｌ１ｂ…１次コイル、Ｌ２，Ｌｚ…２次コイル、Ｌ３…補助２次コイル、Ｍ１〜Ｍ５…発光機器、ＳＧ１…検波信号、ＳＳ，ＳＳ１，ＳＳ２…指令信号、ＳＸ，ＳＸ１，ＳＸ２，ＳＸａ，ＳＸｂ…点灯制御信号、Ｖ１，Ｖ１ａ，Ｖ１ｂ…インバータ電圧、Ｖ２，Ｖ２ａ，Ｖ２ｂ…２次電圧、ＡＴ１…送信アンテナ、ＡＴ２…受信アンテナ、ＡＴａ，ＡＴｂ…アンテナ、ＳＧ１…検波信号。
【図１】
0005394167.tif 000002
【図２】
0005394167.tif 000003
【図３】
0005394167.tif 000004
【図４】
0005394167.tif 000005
【図５】
0005394167.tif 000006
【図６】
0005394167.tif 000007
【図７】
0005394167.tif 000008
【図８】
0005394167.tif 000009
【図９】
0005394167.tif 000010
【図１０】
0005394167.tif 000011
【図１１】
0005394167.tif 000012
【図１２】
0005394167.tif 000013
【図１３】
0005394167.tif 000014
【図１４】
0005394167.tif 000015
【図１５】
0005394167.tif 000016
【図１６】
0005394167.tif 000017
【図１７】
0005394167.tif 000018
【図１８】
0005394167.tif 000019
【図１９】
0005394167.tif 000020
【図２０】
0005394167.tif 000021
【図２１】
0005394167.tif 000022
【図２２】
0005394167.tif 000023
【図２３】
0005394167.tif 000024
【図２４】
0005394167.tif 000025
【図２５】
0005394167.tif 000026
【図２６】
0005394167.tif 000027
【図２７】
0005394167.tif 000028
【図２８】
0005394167.tif 000029
【図２９】
0005394167.tif 000030
【図３０】
0005394167.tif 000031
【図３１】
0005394167.tif 000032
【図３２】
0005394167.tif 000033
【図３３】
0005394167.tif 000034
【図３４】
0005394167.tif 000035
【図３５】
0005394167.tif 000036
【図３６】
0005394167.tif 000037
【図３７】
0005394167.tif 000038
【図３８】
0005394167.tif 000039
【図３９】
0005394167.tif 000040
【図４０】
0005394167.tif 000041
【図４１】
0005394167.tif 000042
【図４２】
0005394167.tif 000043
【図４３】
0005394167.tif 000044
【図４４】
0005394167.tif 000045
【図４５】
0005394167.tif 000046
【図４６】
0005394167.tif 000047
【図４７】
0005394167.tif 000048
【図４８】
0005394167.tif 000049
【図４９】
0005394167.tif 000050
【図５０】
0005394167.tif 000051
【図５１】
0005394167.tif 000052
【図５２】
0005394167.tif 000053
【図５３】
0005394167.tif 000054
【図５４】
0005394167.tif 000055
【図５５】
0005394167.tif 000056
【図５６】
0005394167.tif 000057
【図５７】
0005394167.tif 000058